(57)【特許請求の範囲】
【請求項１】
無線通信システムでの端末の制御情報解釈方法において、
伝送ブロック情報及びアンテナポート関連情報を含む制御情報を受信する段階と、
前記伝送ブロック情報に基づいて、コードワード０はイネーブル（ｅｎａｂｌｅｄ）され、コードワード１はディセーブル（ｄｉｓａｂｌｅｄ）されたか、またはコードワード０及びコードワード１のいずれもイネーブルされたかを確認する段階と、
前記確認の結果によって、前記アンテナポート関連情報に相応するＤＭＲＳ（ｄｅｍｏｄｕｌａｔｉｏｎ  ｒｅｆｅｒｅｎｃｅ  ｓｉｇｎａｌ）アンテナポート及びスクランブリングシーケンスを、事前に決定された規則によって解釈する段階とを含み、ここに前記アンテナポート関連情報の長さが３ビットであることを特徴とする方法。
【請求項２】
前記コードワード０はイネーブル（ｅｎａｂｌｅｄ）され、前記コードワード１はディセーブル（ｄｉｓａｂｌｅｄ）された場合、前記アンテナポート関連情報は、最大４個のレイヤに対する４個のアンテナポートを指示するように設定され、
１個のレイヤに対する基準信号は、０または１のいずれかと、第１のアンテナポートまたは第２のアンテナポートのいずれかとの組み合わせを含み、
２個のレイヤに対する基準信号は、第１のアンテナポートと、第２のアンテナポートとを含み、
３個のレイヤに対する基準信号は、第１のアンテナポートと、第２のアンテナポートと、第３のアンテナポートとを含み、
４個のレイヤに対する基準信号は、第１のアンテナポートと、第２のアンテナポートと、第３のアンテナポートと、第４のアンテナポートとを含むことを特徴とする請求項１に記載の方法。
【請求項３】
前記コードワード０及びコードワード１のいずれもイネーブルされた場合、前記アンテナポート関連情報は、８個のレイヤに対する８個のアンテナポートまでを指示するように設定され、
２個のレイヤに対する基準信号は、第１のアンテナポートと、第２のアンテナポートとを含み、
３個のレイヤに対する基準信号は、第１のアンテナポートと、第２のアンテナポートと、第３のアンテナポートとを含み、
４個のレイヤに対する基準信号は、第１のアンテナポートと、第２のアンテナポートと、第３のアンテナポートと、第４のアンテナポートとを含み、
５個のレイヤに対する基準信号は、第１のアンテナポートと、第２のアンテナポートと、第３のアンテナポートと、第４のアンテナポートと、第５のアンテナポートとを含み、
６個のレイヤに対する基準信号は、第１のアンテナポートと、第２のアンテナポートと、第３のアンテナポートと、第４のアンテナポートと、第５のアンテナポートと、第６のアンテナポートとを含み、
７個のレイヤに対する基準信号は、第１のアンテナポートと、第２のアンテナポートと、第３のアンテナポートと、第４のアンテナポートと、第５のアンテナポートと、第６のアンテナポートと、第７のアンテナポートとを含み、
８個のレイヤに対する基準信号は、第１のアンテナポートと、第２のアンテナポートと、第３のアンテナポートと、第４のアンテナポートと、第５のアンテナポートと、第６のアンテナポートと、第７のアンテナポートと、第８のアンテナポートとを含むことを特徴
とする請求項１に記載の方法。
【請求項４】
前記コードワード０がイネーブルされ、コードワード１がディセーブルされた場合、
前記アンテナポート関連情報は、最大ランクセット４までを含み、
ランク１または２に対するスクランブリングシーケンスは０または１であり、ランク３に対するスクランブリングシーケンスは０であることを特徴とする請求項１に記載の方法。
【請求項５】
前記コードワード０及びコードワード１がイネーブルされた場合、
前記アンテナポート関連情報は、最大ランクセット８までを含み、
ランク２に対するスクランブリングシーケンスは０または１であり、ランク３に対するスクランブリングシーケンスは０であることを特徴とする請求項１に記載の方法。
【請求項６】
前記確認の結果による前記アンテナポート関連情報の解釈は、
前記コードワード０がイネーブルされ、前記コードワード１がディセーブルされ、現在の伝送が最初の伝送である場合、前記アンテナポート関連情報をランク１に対して解釈し、
前記コードワード０がイネーブルされ、前記コードワード１がディセーブルされ、現在の伝送が再伝送である場合、前記アンテナポート関連情報をすべてのランクに対して解釈し、
前記コードワード０及びコードワード１のいずれもイネーブルされた場合、前記アンテナポート関連情報を最初の伝送及び再伝送においてすべてのランクに対して解釈することを特徴とする請求項１に記載の方法。
【請求項７】
前記制御情報は、基地局により伝送される少なくとも１個のレイヤに割り当てられた他の端末の数が１以上であるか否かを指示する指示情報を含むことを特徴とする請求項１に記載の方法。
【請求項８】
前記アンテナポート関連情報は、
前記コードワード０がイネーブルされ、前記コードワード１がディセーブルされた場合、
ランク２パターンでスクランブリングコード０が割り当てられたＤＭＲＳアンテナポート０を指示するインデックス、
ランク２パターンでスクランブリングコード０が割り当てられたＤＭＲＳアンテナポート１を指示するインデックス、
ランク２パターンでスクランブリングコード１が割り当てられたＤＭＲＳアンテナポート０を指示するインデックス、
ランク２パターンでスクランブリングコード１が割り当てられたＤＭＲＳアンテナポート１を指示するインデックス、
ランク２パターンでスクランブリングコード０が割り当てられたＤＭＲＳアンテナポート０、１を指示するインデックス、
ランク４パターンでスクランブリングコード０が割り当てられたＤＭＲＳアンテナポート０、１、２を指示するインデックス、
またはランク４パターンでスクランブリングコード０が割り当てられたＤＭＲＳアンテナポート０、１、２、３を指示するインデックスのうち少なくとも１個を含み、
前記コードワード０及びコードワード１のいずれもイネーブルされた場合、
ランク２パターンでスクランブリングコード０が割り当てられたＤＭＲＳアンテナポート０、１を指示するインデックス、
ランク４パターンでスクランブリングコード０が割り当てられたＤＭＲＳアンテナポート０、１、２を指示するインデックス、
ランク２パターンでスクランブリングコード１が割り当てられたＤＭＲＳアンテナポート０、１を指示するインデックス、
ランク４パターンでスクランブリングコード０が割り当てられたＤＭＲＳアンテナポート０、１、２、３を指示するインデックス、
ランク８パターンでスクランブリングコード０が割り当てられたＤＭＲＳアンテナポート０、１、２、３、４を指示するインデックス、
ランク８パターンでスクランブリングコード０が割り当てられたＤＭＲＳアンテナポート０、１、２、３、４、５を指示するインデックス、
ランク８パターンでスクランブリングコード０が割り当てられたＤＭＲＳアンテナポート０、１、２、３、４、５、６を指示するインデックス、
またはランク８パターンでスクランブリングコード０が割り当てられたＤＭＲＳアンテナポート０、１、２、３、４、５、６、７を指示するインデックスのうち少なくとも１個を含み、
前記ＤＭＲＳアンテナポート０は、全体基準信号（Ｒｅｆｅｒｅｎｃｅ  Ｓｉｇｎａｌ、ＲＳ）のうちＤＭＲＳが割り当てられた最初のアンテナポートを意味し、任意のＤＭＲＳアンテナポートｎは、前記ＤＭＲＳアンテナポート０を基準として順次増加することを特徴とする請求項１に記載の方法。
【請求項９】
無線通信システムでの基地局の制御情報伝送方法において、
コードワード０がイネーブルされ、コードワード１がディセーブルされたか、または前記コードワード０及びコードワード１のいずれもイネーブルされたかを決定する段階と、
前記決定の結果によって、アンテナポート関連情報を選択する段階と、
コードワード０がイネーブルされ、コードワード１がディセーブルされたか、または前記コードワード０及びコードワード１のいずれもイネーブルされたか、及び前記アンテナポート関連情報を含む制御情報を生成する段階と、
前記制御情報を端末に伝送する段階とを含み、
前記アンテナポート関連情報に相応するＤＭＲＳ（ｄｅｍｏｄｕｌａｔｉｏｎ  ｒｅｆｅｒｅｎｃｅ  ｓｉｇｎａｌ）アンテナポート及びスクランブリングシーケンスは、前記決定の結果に基づき選択され、ここに前記アンテナポート関連情報の長さが３ビットであることを特徴とする方法。
【請求項１０】
前記コードワード０はイネーブル（ｅｎａｂｌｅｄ）され、前記コードワード１はディセーブル（ｄｉｓａｂｌｅｄ）された場合、前記アンテナポート関連情報は、最大４個のレイヤに対する４個のアンテナポートを指示するように設定され、
１個のレイヤに対する基準信号は、０または１のいずれかと、第１のアンテナポートまたは第２のアンテナポートのいずれかとの組み合わせを含み、
２個のレイヤに対する基準信号は、第１のアンテナポートと、第２のアンテナポートとを含み、
３個のレイヤに対する基準信号は、第１のアンテナポートと、第２のアンテナポートと、第３のアンテナポートとを含み、
４個のレイヤに対する基準信号は、第１のアンテナポートと、第２のアンテナポートと、第３のアンテナポートと、第４のアンテナポートとを含むことを特徴とする請求項９に記載の方法。
【請求項１１】
前記コードワード０及びコードワード１のいずれもイネーブルされた場合、前記アンテナポート関連情報は、８個のレイヤに対する８個のアンテナポートまでを指示するように設定され、
２個のレイヤに対する基準信号は、第１のアンテナポートと、第２のアンテナポートとを含み、
３個のレイヤに対する基準信号は、第１のアンテナポートと、第２のアンテナポートと、第３のアンテナポートとを含み、
４個のレイヤに対する基準信号は、第１のアンテナポートと、第２のアンテナポートと、第３のアンテナポートと、第４のアンテナポートとを含み、
５個のレイヤに対する基準信号は、第１のアンテナポートと、第２のアンテナポートと
、第３のアンテナポートと、第４のアンテナポートと、第５のアンテナポートとを含み、
６個のレイヤに対する基準信号は、第１のアンテナポートと、第２のアンテナポートと、第３のアンテナポートと、第４のアンテナポートと、第５のアンテナポートと、第６のアンテナポートとを含み、
７個のレイヤに対する基準信号は、第１のアンテナポートと、第２のアンテナポートと、第３のアンテナポートと、第４のアンテナポートと、第５のアンテナポートと、第６のアンテナポートと、第７のアンテナポートとを含み、
８個のレイヤに対する基準信号は、第１のアンテナポートと、第２のアンテナポートと、第３のアンテナポートと、第４のアンテナポートと、第５のアンテナポートと、第６のアンテナポートと、第７のアンテナポートと、第８のアンテナポートとを含むことを特徴とする請求項９に記載の方法。
【請求項１２】
前記コードワード０がイネーブルされ、コードワード１がディセーブルされた場合、
前記アンテナポート関連情報は、最大ランクセット４までを含み、
ランク１または２に対するスクランブリングシーケンスは０または１であり、ランク３に対するスクランブリングシーケンスは０であることを特徴とする請求項９に記載の方法。
【請求項１３】
前記コードワード０及びコードワード１がイネーブルされた場合、
前記アンテナポート関連情報は、最大ランクセット８までを含み、
ランク２に対するスクランブリングシーケンスは０または１であり、ランク３に対するスクランブリングシーケンスは０であることを特徴とする請求項９に記載の方法。
【請求項１４】
前記決定の結果による前記アンテナポート関連情報の選択は、
前記コードワード０がイネーブルされ、前記コードワード１がディセーブルされ、現在の伝送が最初の伝送である場合、前記アンテナポート関連情報をランク１に対して選択し、
前記コードワード０がイネーブルされ、前記コードワード１がディセーブルされ、現在の伝送が再伝送である場合、前記アンテナポート関連情報をすべてのランクに対して選択し、
前記コードワード０及びコードワード１のいずれもイネーブルされた場合、前記アンテナポート関連情報を最初の伝送及び再伝送においてすべてのランクに対して選択することを特徴とする請求項９に記載の方法。
【請求項１５】
前記制御情報は、基地局により伝送される少なくとも１個のレイヤに割り当てられた他の端末の数が１以上であるか否かを指示する指示情報を含むことを特徴とする請求項９に記載の方法。
【請求項１６】
前記アンテナポート関連情報は、
前記コードワード０がイネーブルされ、前記コードワード１がディセーブルされた場合、
ランク２パターンでスクランブリングコード０が割り当てられたＤＭＲＳアンテナポート０を指示するインデックス、
ランク２パターンでスクランブリングコード０が割り当てられたＤＭＲＳアンテナポート１を指示するインデックス、
ランク２パターンでスクランブリングコード１が割り当てられたＤＭＲＳアンテナポート０を指示するインデックス、
ランク２パターンでスクランブリングコード１が割り当てられたＤＭＲＳアンテナポート１を指示するインデックス、
ランク２パターンでスクランブリングコード０が割り当てられたＤＭＲＳアンテナポー
ト０、１を指示するインデックス、
ランク４パターンでスクランブリングコード０が割り当てられたＤＭＲＳアンテナポート０、１、２を指示するインデックス、
またはランク４パターンでスクランブリングコード０が割り当てられたＤＭＲＳアンテナポート０、１、２、３を指示するインデックスのうち少なくとも１個を含み、
前記コードワード０及びコードワード１のいずれもイネーブルされた場合、
ランク２パターンでスクランブリングコード０が割り当てられたＤＭＲＳアンテナポート０、１を指示するインデックス、
ランク４パターンでスクランブリングコード０が割り当てられたＤＭＲＳアンテナポート０、１、２を指示するインデックス、
ランク２パターンでスクランブリングコード１が割り当てられたＤＭＲＳアンテナポート０、１を指示するインデックス、
ランク４パターンでスクランブリングコード０が割り当てられたＤＭＲＳアンテナポート０、１、２、３を指示するインデックス、
ランク８パターンでスクランブリングコード０が割り当てられたＤＭＲＳアンテナポート０、１、２、３、４を指示するインデックス、
ランク８パターンでスクランブリングコード０が割り当てられたＤＭＲＳアンテナポート０、１、２、３、４、５を指示するインデックス、
ランク８パターンでスクランブリングコード０が割り当てられたＤＭＲＳアンテナポート０、１、２、３、４、５、６を指示するインデックス、
またはランク８パターンでスクランブリングコード０が割り当てられたＤＭＲＳアンテナポート０、１、２、３、４、５、６、７を指示するインデックスのうち少なくとも１個を含み、
前記ＤＭＲＳアンテナポート０は、全体基準信号（Ｒｅｆｅｒｅｎｃｅ  Ｓｉｇｎａｌ、ＲＳ）のうちＤＭＲＳが割り当てられた最初のアンテナポートを意味し、任意のＤＭＲＳアンテナポートｎは、前記ＤＭＲＳアンテナポート０を基準として順次増加することを特徴とする請求項９に記載の方法。
【請求項１７】
無線通信システムで制御情報を解釈する端末において、
信号を送受信する送受信部と、
伝送ブロック情報及びアンテナポート関連情報を含む制御情報を受信し、
前記伝送ブロック情報に基づいて、コードワード０はイネーブル（ｅｎａｂｌｅｄ）され、コードワード１はディセーブル（ｄｉｓａｂｌｅｄ）されたか、またはコードワード０及びコードワード１のいずれもイネーブルされたかを確認し、
前記確認の結果によって、前記アンテナポート関連情報に相応するＤＭＲＳ（ｄｅｍｏｄｕｌａｔｉｏｎ  ｒｅｆｅｒｅｎｃｅ  ｓｉｇｎａｌ）アンテナポート及びスクランブリングシーケンスを、事前に決定された規則によって解釈する制御部とを含み、ここに前記アンテナポート関連情報の長さが３ビットであることを特徴とする端末。
【請求項１８】
前記コードワード０はイネーブル（ｅｎａｂｌｅｄ）され、前記コードワード１はディセーブル（ｄｉｓａｂｌｅｄ）された場合、前記アンテナポート関連情報は、最大４個のレイヤに対する４個のアンテナポートを指示するように設定され、
１個のレイヤに対する基準信号は、０または１のいずれかと、第１のアンテナポートまたは第２のアンテナポートのいずれかとの組み合わせを含み、
２個のレイヤに対する基準信号は、第１のアンテナポートと、第２のアンテナポートとを含み、
３個のレイヤに対する基準信号は、第１のアンテナポートと、第２のアンテナポートと、第３のアンテナポートとを含み、
４個のレイヤに対する基準信号は、第１のアンテナポートと、第２のアンテナポートと、第３のアンテナポートと、第４のアンテナポートとを含むことを特徴とする請求項１７に記載の端末。
【請求項１９】
前記コードワード０及びコードワード１のいずれもイネーブルされた場合、前記アンテナポート関連情報は、８個のレイヤに対する８個のアンテナポートまでを指示するように設定され、
２個のレイヤに対する基準信号は、第１のアンテナポートと、第２のアンテナポートとを含み、
３個のレイヤに対する基準信号は、第１のアンテナポートと、第２のアンテナポートと、第３のアンテナポートとを含み、
４個のレイヤに対する基準信号は、第１のアンテナポートと、第２のアンテナポートと、第３のアンテナポートと、第４のアンテナポートとを含み、
５個のレイヤに対する基準信号は、第１のアンテナポートと、第２のアンテナポートと、第３のアンテナポートと、第４のアンテナポートと、第５のアンテナポートとを含み、
６個のレイヤに対する基準信号は、第１のアンテナポートと、第２のアンテナポートと、第３のアンテナポートと、第４のアンテナポートと、第５のアンテナポートと、第６のアンテナポートとを含み、
７個のレイヤに対する基準信号は、第１のアンテナポートと、第２のアンテナポートと、第３のアンテナポートと、第４のアンテナポートと、第５のアンテナポートと、第６のアンテナポートと、第７のアンテナポートとを含み、
８個のレイヤに対する基準信号は、第１のアンテナポートと、第２のアンテナポートと、第３のアンテナポートと、第４のアンテナポートと、第５のアンテナポートと、第６のアンテナポートと、第７のアンテナポートと、第８のアンテナポートとを含むことを特徴とする請求項１７に記載の端末。
【請求項２０】
前記コードワード０がイネーブルされ、コードワード１がディセーブルされた場合、
前記アンテナポート関連情報は、最大ランクセット４までを含み、
ランク１または２に対するスクランブリングシーケンスは０または１であり、ランク３に対するスクランブリングシーケンスは０であることを特徴とする請求項１７に記載の端末。
【請求項２１】
前記コードワード０及びコードワード１がイネーブルされた場合、
前記アンテナポート関連情報は、最大ランクセット８までを含み、
ランク２に対するスクランブリングシーケンスは０または１であり、ランク３に対するスクランブリングシーケンスは０であることを特徴とする請求項１７に記載の端末。
【請求項２２】
前記制御部は、
前記コードワード０がイネーブルされ、前記コードワード１がディセーブルされ、現在の伝送が最初の伝送である場合、前記アンテナポート関連情報をランク１に対して解釈し、
前記コードワード０がイネーブルされ、前記コードワード１がディセーブルされ、現在の伝送が再伝送である場合、前記アンテナポート関連情報をすべてのランクに対して解釈し、
前記コードワード０及びコードワード１のいずれもイネーブルされた場合、前記アンテナポート関連情報を最初の伝送及び再伝送においてすべてのランクに対して解釈することを特徴とする請求項１７に記載の端末。
【請求項２３】
前記制御情報は、基地局により伝送される少なくとも１個のレイヤに割り当てられた他の端末の数が１以上であるか否かを指示する指示情報を含むことを特徴とする請求項１７に記載の端末。
【請求項２４】
前記アンテナポート関連情報は、
前記コードワード０がイネーブルされ、前記コードワード１がディセーブルされた場合、
ランク２パターンでスクランブリングコード０が割り当てられたＤＭＲＳアンテナポート０を指示するインデックス、
ランク２パターンでスクランブリングコード０が割り当てられたＤＭＲＳアンテナポート１を指示するインデックス、
ランク２パターンでスクランブリングコード１が割り当てられたＤＭＲＳアンテナポート０を指示するインデックス、
ランク２パターンでスクランブリングコード１が割り当てられたＤＭＲＳアンテナポート１を指示するインデックス、
ランク２パターンでスクランブリングコード０が割り当てられたＤＭＲＳアンテナポート０、１を指示するインデックス、
ランク４パターンでスクランブリングコード０が割り当てられたＤＭＲＳアンテナポート０、１、２を指示するインデックス、
またはランク４パターンでスクランブリングコード０が割り当てられたＤＭＲＳアンテナポート０、１、２、３を指示するインデックスのうち少なくとも１個を含み、
前記コードワード０及びコードワード１のいずれもイネーブルされた場合、
ランク２パターンでスクランブリングコード０が割り当てられたＤＭＲＳアンテナポート０、１を指示するインデックス、
ランク４パターンでスクランブリングコード０が割り当てられたＤＭＲＳアンテナポート０、１、２を指示するインデックス、
ランク２パターンでスクランブリングコード１が割り当てられたＤＭＲＳアンテナポート０、１を指示するインデックス、
ランク４パターンでスクランブリングコード０が割り当てられたＤＭＲＳアンテナポート０、１、２、３を指示するインデックス、
ランク８パターンでスクランブリングコード０が割り当てられたＤＭＲＳアンテナポート０、１、２、３、４を指示するインデックス、
ランク８パターンでスクランブリングコード０が割り当てられたＤＭＲＳアンテナポート０、１、２、３、４、５を指示するインデックス、
ランク８パターンでスクランブリングコード０が割り当てられたＤＭＲＳアンテナポート０、１、２、３、４、５、６を指示するインデックス、
またはランク８パターンでスクランブリングコード０が割り当てられたＤＭＲＳアンテナポート０、１、２、３、４、５、６、７を指示するインデックスのうち少なくとも１個を含み、
前記ＤＭＲＳアンテナポート０は、全体基準信号（Ｒｅｆｅｒｅｎｃｅ  Ｓｉｇｎａｌ、ＲＳ）のうちＤＭＲＳが割り当てられた最初のアンテナポートを意味し、任意のＤＭＲＳアンテナポートｎは、前記ＤＭＲＳアンテナポート０を基準として順次増加することを特徴とする請求項１７に記載の端末。
【請求項２５】
無線通信システムで制御情報を伝送する基地局において、
信号を送受信する送受信部と、
コードワード０がイネーブルされ、コードワード１がディセーブルされたか、または前記コードワード０及びコードワード１のいずれもイネーブルされたかを決定し、
前記決定の結果によって、アンテナポート関連情報を選択し、
コードワード０がイネーブルされ、コードワード１がディセーブルされたか、または前記コードワード０及びコードワード１のいずれもイネーブルされたか、及び前記アンテナポート関連情報を含む制御情報を生成し、
前記制御情報を端末に伝送するように制御する制御部とを含み、
前記アンテナポート関連情報に相応するＤＭＲＳ（ｄｅｍｏｄｕｌａｔｉｏｎ  ｒｅｆｅｒｅｎｃｅ  ｓｉｇｎａｌ）アンテナポート及びスクランブリングシーケンスは、前記決定の結果に基づき選択され、ここに前記アンテナポート関連情報の長さが３ビットであることを特徴とする基地局。
【請求項２６】
前記コードワード０はイネーブル（ｅｎａｂｌｅｄ）され、前記コードワード１はディ
セーブル（ｄｉｓａｂｌｅｄ）された場合、前記アンテナポート関連情報は、最大４個のレイヤに対する４個のアンテナポートを指示するように設定され、
１個のレイヤに対する基準信号は、０または１のいずれかと、第１のアンテナポートまたは第２のアンテナポートのいずれかとの組み合わせを含み、
２個のレイヤに対する基準信号は、第１のアンテナポートと、第２のアンテナポートとを含み、
３個のレイヤに対する基準信号は、第１のアンテナポートと、第２のアンテナポートと、第３のアンテナポートとを含み、
４個のレイヤに対する基準信号は、第１のアンテナポートと、第２のアンテナポートと、第３のアンテナポートと、第４のアンテナポートとを含むことを特徴とする請求項２５に記載の基地局。
【請求項２７】
前記コードワード０及びコードワード１のいずれもイネーブルされた場合、前記アンテナポート関連情報は、８個のレイヤに対する８個のアンテナポートまでを指示するように設定され、
２個のレイヤに対する基準信号は、第１のアンテナポートと、第２のアンテナポートとを含み、
３個のレイヤに対する基準信号は、第１のアンテナポートと、第２のアンテナポートと、第３のアンテナポートとを含み、
４個のレイヤに対する基準信号は、第１のアンテナポートと、第２のアンテナポートと、第３のアンテナポートと、第４のアンテナポートとを含み、
５個のレイヤに対する基準信号は、第１のアンテナポートと、第２のアンテナポートと、第３のアンテナポートと、第４のアンテナポートと、第５のアンテナポートとを含み、
６個のレイヤに対する基準信号は、第１のアンテナポートと、第２のアンテナポートと、第３のアンテナポートと、第４のアンテナポートと、第５のアンテナポートと、第６のアンテナポートとを含み、
７個のレイヤに対する基準信号は、第１のアンテナポートと、第２のアンテナポートと、第３のアンテナポートと、第４のアンテナポートと、第５のアンテナポートと、第６のアンテナポートと、第７のアンテナポートとを含み、
８個のレイヤに対する基準信号は、第１のアンテナポートと、第２のアンテナポートと、第３のアンテナポートと、第４のアンテナポートと、第５のアンテナポートと、第６のアンテナポートと、第７のアンテナポートと、第８のアンテナポートとを含むことを特徴とする請求項２５に記載の基地局。
【請求項２８】
前記コードワード０がイネーブルされ、コードワード１がディセーブルされた場合、
前記アンテナポート関連情報は、最大ランクセット４までを含み、
ランク１または２に対するスクランブリングシーケンスは０または１であり、ランク３に対するスクランブリングシーケンスは０であることを特徴とする請求項２５に記載の基地局。
【請求項２９】
前記コードワード０及びコードワード１がイネーブルされた場合、
前記アンテナポート関連情報は、最大ランクセット８までを含み、
ランク２に対するスクランブリングシーケンスは０または１であり、ランク３に対するスクランブリングシーケンスは０であることを特徴とする請求項２５に記載の基地局。
【請求項３０】
前記制御部は、
前記コードワード０がイネーブルされ、前記コードワード１がディセーブルされ、現在の伝送が最初の伝送である場合、前記アンテナポート関連情報をランク１に対して選択し、
前記コードワード０がイネーブルされ、前記コードワード１がディセーブルされ、現在
の伝送が再伝送である場合、前記アンテナポート関連情報をすべてのランクに対して選択し、
前記コードワード０及びコードワード１のいずれもイネーブルされた場合、前記アンテナポート関連情報を最初の伝送及び再伝送においてすべてのランクに対して選択することを特徴とする請求項２５に記載の基地局。
【請求項３１】
前記制御情報は、基地局により伝送される少なくとも１個のレイヤに割り当てられた他の端末の数が１以上であるか否かを指示する指示情報を含むことを特徴とする請求項２５に記載の基地局。
【請求項３２】
前記アンテナポート関連情報は、
前記コードワード０がイネーブルされ、前記コードワード１がディセーブルされた場合、
ランク２パターンでスクランブリングコード０が割り当てられたＤＭＲＳアンテナポート０を指示するインデックス、
ランク２パターンでスクランブリングコード０が割り当てられたＤＭＲＳアンテナポート１を指示するインデックス、
ランク２パターンでスクランブリングコード１が割り当てられたＤＭＲＳアンテナポート０を指示するインデックス、
ランク２パターンでスクランブリングコード１が割り当てられたＤＭＲＳアンテナポート１を指示するインデックス、
ランク２パターンでスクランブリングコード０が割り当てられたＤＭＲＳアンテナポート０、１を指示するインデックス、
ランク４パターンでスクランブリングコード０が割り当てられたＤＭＲＳアンテナポート０、１、２を指示するインデックス、
またはランク４パターンでスクランブリングコード０が割り当てられたＤＭＲＳアンテナポート０、１、２、３を指示するインデックスのうち少なくとも１個を含み、
前記コードワード０及びコードワード１のいずれもイネーブルされた場合、
ランク２パターンでスクランブリングコード０が割り当てられたＤＭＲＳアンテナポート０、１を指示するインデックス、
ランク４パターンでスクランブリングコード０が割り当てられたＤＭＲＳアンテナポート０、１、２を指示するインデックス、
ランク２パターンでスクランブリングコード１が割り当てられたＤＭＲＳアンテナポート０、１を指示するインデックス、
ランク４パターンでスクランブリングコード０が割り当てられたＤＭＲＳアンテナポート０、１、２、３を指示するインデックス、
ランク８パターンでスクランブリングコード０が割り当てられたＤＭＲＳアンテナポート０、１、２、３、４を指示するインデックス、
ランク８パターンでスクランブリングコード０が割り当てられたＤＭＲＳアンテナポート０、１、２、３、４、５を指示するインデックス、
ランク８パターンでスクランブリングコード０が割り当てられたＤＭＲＳアンテナポート０、１、２、３、４、５、６を指示するインデックス、
またはランク８パターンでスクランブリングコード０が割り当てられたＤＭＲＳアンテナポート０、１、２、３、４、５、６、７を指示するインデックスのうち少なくとも１個を含み、
前記ＤＭＲＳアンテナポート０は、全体基準信号（Ｒｅｆｅｒｅｎｃｅ  Ｓｉｇｎａｌ、ＲＳ）のうちＤＭＲＳが割り当てられた最初のアンテナポートを意味し、任意のＤＭＲＳアンテナポートｎは、前記ＤＭＲＳアンテナポート０を基準として順次増加することを特徴とする請求項２５に記載の基地局。
【発明の詳細な説明】
【技術分野】
【０００１】
本発明は、一般的な無線移動通信システムに関し、特に、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）などのような多重搬送波（ｍｕｌｔｉ−ｃａｒｒｉｅｒ）を利用する多重接続方式（ｍｕｌｔｉｐｌｅ  ａｃｃｅｓｓ  ｓｃｈｅｍｅ）を適用した無線移動通信システムで端末がｃｈａｎｎｅｌ  ｑｕａｌｉｔｙ（無線チャネル状態）を測定することを助けるために基地局が伝送するＣｈａｎｎｅｌ  Ｓｔａｔｅ  Ｉｎｆｏｒｍａｔｉｏｎ  ｒｅｆｅｒｅｎｃｅ  ｓｉｇｎａｌ（ＣＳＩ−ＲＳ、チャネル状態測定用基準信号）に対する送受信方法及び効率的運用に関する。
【背景技術】
【０００２】
現在の移動通信システムは 、初期の音声中心のサービスの提供から脱して、データサービス及びマルチメディアサービス提供のために高速、高品質の無線パケットデータ通信システムに発展している。このために、３ＧＰＰ、３ＧＰＰ２、及びＩＥＥＥなどの様々な標準化団体でｍｕｌｔｉ−ｃａｒｒｉｅｒを利用したｍｕｌｔｉｐｌｅ  ａｃｃｅｓｓ方式を適用した３世代進化移動通信システム標準を進行している。近年、３ＧＰＰのＬｏｎｇ  Ｔｅｒｍ  Ｅｖｏｌｕｔｉｏｎ（ＬＴＥ）、３ＧＰＰ２のＵｌｔｒａ  Ｍｏｂｉｌｅ  Ｂｒｏａｄｂａｎｄ（ＵＭＢ）、 及びＩＥＥＥの８０２．１６ｍなど多様な移動通信標準がｍｕｌｔｉ−ｃａｒｒｉｅｒを利用したｍｕｌｔｉｐｌｅ  ａｃｃｅｓｓ方式に基づいて高速、高品質の無線パケットデータ伝送サービスをサポートするために開発された。
【０００３】
ＬＴＥ、ＵＭＢ、８０２．１６ｍなどの現存する３世代進化移動通信システムは、ｍｕｌｔｉ−ｃａｒｒｉｅｒ  ｍｕｌｔｉｐｌｅ  ａｃｃｅｓｓ方式を基盤としていて、伝送効率を改善するために、Ｍｕｌｔｉｐｌｅ  Ｉｎｐｕｔ  Ｍｕｌｔｉｐｌｅ  Ｏｕｔｐｕｔ（ＭＩＭＯ、多重アンテナ）を適用し、ｂｅａｍ−ｆｏｒｍｉｎｇ（ビームフォーミング）、Ａｄａｐｔｉｖｅ  Ｍｏｄｕｌａｔｉｏｎ  ａｎｄ  Ｃｏｄｉｎｇ（ＡＭＣ、適応変調及び符号）方法とｃｈａｎｎｅｌ  ｓｅｎｓｉｔｉｖｅ（チャネル感応）ｓｃｈｅｄｕｌｉｎｇ方法などの多様な技術を利用する特徴を有している。上記の様々なな技術は、ｃｈａｎｎｅｌ  ｑｕａｌｉｔｙなどによって多数のアンテナから送信する伝送電力を集中するか、伝送するデータ量を調節し、ｃｈａｎｎｅｌ  ｑｕａｌｉｔｙが良いユーザに選択的にデータを伝送するなどの方法を用いて伝送効率を改善し、システム容量性能を改善させる。このような技法は、大部分が基地局（ｅＮＢ：ｅｖｏｌｖｅｄ  Ｎｏｄｅ  Ｂ、ＢＳ：Ｂａｓｅ  Ｓｔａｔｉｏｎ）と端末（ＵＥ：Ｕｓｅｒ  Ｅｑｕｉｐｍｅｎｔ、ＭＳ：Ｍｏｂｉｌｅ  Ｓｔａｔｉｏｎ）間のチャネル状態情報に基づいて動作するので、ｅＮＢまたはＵＥは、基地局と端末との間のチャネル状態を測定する必要があり、この際に利用されるものがＣｈａｎｎｅｌ  Ｓｔａｔｕｓ  Ｉｎｄｉｃａｔｉｏｎ  ｒｅｆｅｒｅｎｃｅ  ｓｉｇｎａｌ（ＣＳＩ−ＲＳ）である。前述したｅＮＢは、一定の場所に位置するダウンリンク（ｄｏｗｎｌｉｎｋ）送信及びアップリンク（ｕｐｌｉｎｋ）受信装置を意味し、１個のｅＮＢは、複数個のｃｅｌｌに対する送受信を行う。１個の移動通信システムで複数個のｅＮＢが地理的に分散していて、それぞれのｅＮＢは、複数個のｃｅｌｌに対する送受信を行う。
【０００４】
移動通信システムで時間、周波数、及び電力資源は、制限されている。したがって、ｒｅｆｅｒｅｎｃｅ  ｓｉｇｎａｌにさらに多い資源を割り当てるようになれば、ｔｒａｆｆｉｃ  ｃｈａｎｎｅｌ（データトラフィックチャネル）伝送に割り当てることができる資源が減少するようになり、伝送されるデータの絶対的な量が減少することができる。このような場合、ｃｈａｎｎｅｌ  ｍｅａｓｕｒｅｍｅｎｔ及びｅｓｔｉｍａｔｉｏｎの性能は改善されるが、伝送されるデータの絶対量が減少するので、全体システム容量性能はむしろ低下することができる。したがって、全体システム容量の側面で最適の性能を導き出すことができるようにｒｅｆｅｒｅｎｃｅ  ｓｉｇｎａｌのための資源とｔｒａｆｆｉｃ  ｃｈａｎｎｅｌ伝送のための信号の資源との間に適切な配分が必要である。
【０００５】
３世代進化無線移動通信システム標準でｒｅｆｅｒｅｎｃｅ  ｓｉｇｎａｌは、特定端末のための専用信号有無によって次のようにＣｏｍｍｏｎ  Ｒｅｆｅｒｅｎｃｅ  Ｓｉｇｎａｌ（ＣＲＳ、共通基準信号）と、Ｄｅｄｉｃａｔｅｄ  Ｒｅｆｅｒｅｎｃｅ  Ｓｉｇｎａｌ（ＤＲＳ、専用基準信号）とに分けられる。
【０００６】
１）Ｃｏｍｍｏｎ  Ｒｅｆｅｒｅｎｃｅ  Ｓｉｇｎａｌ：３ＧＰＰ  ＬＴＥシステムでは、Ｃｅｌｌ−ｓｐｅｃｉｆｉｃ  ＲＳまたはＣＲＳ（Ｃｏｍｍｏｎ  ＲＳ）とも呼ばれ、当該基地局が属するセル（ｃｅｌｌ）のすべての端末に伝送されるｒｅｆｅｒｅｎｃｅ  ｓｉｇｎａｌである。多重アンテナを利用した伝送が行われる場合に対してｃｈａｎｎｅｌ  ｅｓｔｉｍａｔｉｏｎ及びｍｅａｓｕｒｅｍｅｎｔが可能となるようにａｎｔｅｎｎａ  ｐｏｒｔ（アンテナポート）別に区分が可能なｒｅｆｅｒｅｎｃｅ  ｓｉｇｎａｌパターンが定義されている。ＬＴＥシステムでは、最大４個のａｎｔｅｎｎａ  ｐｏｒｔまでサポートする。
【０００７】
２）Ｄｅｄｉｃａｔｅｄ  Ｒｅｆｅｒｅｎｃｅ  Ｓｉｇｎａｌ：共通基準信号と別に追加的に伝送されるｒｅｆｅｒｅｎｃｅ  ｓｉｇｎａｌであり、基地局が指定した特定端末にのみ伝送される。３ＧＰＰ  ＬＴＥ（−Ａ）システムでは、ＵＥ−ｓｐｅｃｉｆｉｃ  ＲＳまたはＤＲＳと呼ばれることがあり、一般的に基地局がｎｏｎ−ｃｏｄｅｂｏｏｋ  ｂａｓｅｄ  ｐｒｅｃｏｄｉｎｇを利用したデータトラフィックチャネル伝送を行うとき、これをサポートするために使用される。
【０００８】
ＬＴＥシステムのｕｐｇｒａｄｅされたシステムであるＬＴＥ−Ａシステムの場合、上記ＣＲＳ及びＤＲＳ以外に８個までのレイヤ（ｌａｙｅｒ）に対するチャネル推定を可能にするＤｅＭｏｄｕｌａｔｉｏｎ  Ｒｅｆｅｒｅｎｃｅ  Ｓｉｇｎａｌ（復調基準信号、ＤＭＲＳ）も伝送される。ＤＭＲＳは、ＤＲＳと同様に、ＣＲＳとは別に追加的に伝送され、基地局が指定した特定端末にのみ伝送される。ＬＴＥ−Ａでｄｏｗｎｌｉｎｋ信号は、周波数領域と時間領域を同時に活用するＯＦＤＭＡ伝送方式を利用して伝送される。ＬＴＥ−Ａでｄｏｗｎｌｉｎｋが伝送される周波数領域は、１２個のｓｕｂｃａｒｒｉｅｒより構成される複数個のＲＢよりなり、時間領域は、１４個のＯＦＤＭシンボルで構成されるｓｕｂｆｒａｍｅより構成される。１個の基地局がｄｏｗｎｌｉｎｋで伝送を行うときに利用される無線資源は、周波数領域で１個または複数個のＲＢよりなり、時間領域では、１個のｓｕｂｆｒａｍｅより構成される。また、１個のＯＦＤＭシンボル区間で１個のｓｕｂｃａｒｒｉｅｒで伝送される無線資源をＲＥ（ｒｅｓｏｕｒｃｅ  ｅｌｅｍｅｎｔ）と言う。
【０００９】
ＬＴＥ−Ａシステムは、ＳＵ−ＭＩＭＯまたはＭＵ−ＭＩＭＯで伝送を行う場合、複数個のｌａｙｅｒを利用して伝送を行うことができる。このように複数個のｌａｙｅｒに対する伝送を行う場合、各ｌａｙｅｒに対してＤＭＲＳ資源を割り当てなければならない。一般的に、ＬＴＥ−ＡでＤＭＲＳを利用したチャネル推定を行う場合、１個のｌａｙｅｒに対するチャネル推定を行うために割り当てられるＤＭＲＳ資源をＤＭＲＳポート（ｐｏｒｔ）と呼ぶ。以下では、ＤＭＲＳ資源の用語とＤＭＲＳポートの用語を混用して使用することにする。
【００１０】
図１は、１個のＲＢと１個のｓｕｂｆｒａｍｅで構成されるＬＴＥ−Ａでの無線資源でＤＭＲＳが伝送される位置を示すものである。図１で１００は、ｅＮＢが２個のｌａｙｅｒに対するＤＭＲＳ伝送を行うことができるようにするＲａｎｋ  ２  ＤＭＲＳ  ｐａｔｔｅｒｎである。図１のＲａｎｋ  ２  ＤＭＲＳ  ｐａｔｔｅｒｎを利用して２個のＤＭＲＳを伝送する場合、各ｌａｙｅｒに対するＤＭＲＳが１０１、１０２位置で拡散長さ２で直交拡散された後、ＣＤＭに伝送される。このようにＤＭＲＳが直交拡散されて伝送されることは、１０３、１０４位置でも同様である。また、図１で、同一の形状（青色）で表示された連続されたＲＥでも同様にＤＭＲＳが伝送される。結果的に、２個のＤＭＲＳ  ａｎｔｅｎｎａ  ｐｏｒｔに対するＤＭＲＳ信号がＣＤＭ方式で同一の周波数及び時間領域で伝送されるものである。
【００１１】
図１で、１１０は、ｅＮＢが４個のｌａｙｅｒに対するＤＭＲＳ伝送を行うことができるようにするＲａｎｋ  ４  ＤＭＲＳ  ｐａｔｔｅｒｎである。図１のＲａｎｋ  ４  ＤＭＲＳ  ｐａｔｔｅｒｎは、１００と同一の拡散長さ２で直交拡散する方式でＤＭＲＳ信号を伝送する。１１０と１００との差異は、４個のＤＭＲＳ  ａｎｔｅｎｎａ  ｐｏｒｔに対する伝送を行うために追加的なＲＥを利用するという点である。１１０が１００と比べてＤＭＲＳを伝送するのに２倍のＲＥを利用することを図１で観察することができる。
【００１２】
図１で１２０は、ｅＮＢが８個のｌａｙｅｒに対するＤＭＲＳ伝送を行うことができるようにするＲａｎｋ  ８  ＤＭＲＳ  ｐａｔｔｅｒｎである。図１のＲａｎｋ  ８  ＤＭＲＳ  ｐａｔｔｅｒｎは、４個のｌａｙｅｒに対するＤＭＲＳを伝送する１１０と比較して同一の個数のＲＥを利用することが分かる。このように同じ個数のＲＥを利用しながら８個のＤＭＲＳ  ａｎｔｅｎｎａ  ｐｏｒｔに対する信号を伝送するために１０５、１０６、１０７、１０８の位置で拡散長さ４で直交拡散して伝送を行う。
【００１３】
ＬＴＥ−ＡシステムでｅＮＢが伝送する信号のランク（ｒａｎｋ）は、ｄｏｗｎｌｉｎｋ  ｃｈａｎｎｅｌの状態によって可変的である。このようにｅＮＢ伝送信号のｒａｎｋが可変的なので、これにより、利用されるＤＭＲＳ  ｐａｔｔｅｒｎも可変的である。すなわち、状況によってチャネルが多いｌａｙｅｒに対する伝送を可能にする場合、ｅＮＢは、図１の１２０のようなｒａｎｋ  ８  ＤＭＲＳ  ｐａｔｔｅｒｎを利用することができ、チャネルが少ないｌａｙｅｒに対する伝送のみを可能にする場合、ｅＮＢは、図１の１００のようなｒａｎｋ  ２  ＤＭＲＳ  ｐａｔｔｅｒｎを利用することができる。
【００１４】
このようにｅＮＢが伝送するＤＭＲＳ  ｐａｔｔｅｒｎが時間的に変わることができ、当該ＤＭＲＳ  ｐａｔｔｅｒｎ内で１個のＵＥに割り当てられるＤＭＲＳ  ｐｏｒｔも可変的なことがあるので、ｅＮＢは、特定のＵＥにｄｏｗｎｌｉｎｋ  ｔｒａｆｆｉｃ  ｃｈａｎｎｅｌを伝送するためには、当該ＵＥにｄｏｗｎｌｉｎｋ  ｔｒａｆｆｉｃ  ｃｈａｎｎｅｌを復調するのにどのＤＭＲＳ  ｐａｔｔｅｒｎのどんなＤＭＲＳ  ａｎｔｅｎｎａ  ｐｏｒｔを利用するかを通知しなければならない。
【００１５】
図１のように、３個のＤＭＲＳ  ｐａｔｔｅｒｎが存在し、最大８個のＤＭＲＳ  ａｎｔｅｎｎａ  ｐｏｒｔが可能な場合、ｅＮＢがＵＥにＤＭＲＳに関する情報を通知する１つの方法は、ＤＭＲＳ  ｐａｔｔｅｒｎを指示する２ビット情報と８個のＤＭＲＳ  ａｎｔｅｎｎａ  ｐｏｒｔのうちいずれかを利用するかをｂｉｔ  ｍａｐ形式で指示するための８ビットをＵＥに伝送することである。すなわち、１個のＵＥにどんなＤＭＲＳ資源が割り当てられたかを通知するために全体１０ビットを利用する。一例として、Ｒａｎｋ  ２  ＤＭＲＳ  ｐａｔｔｅｒｎが“００”、Ｒａｎｋ  ４  ＤＭＲＳ  ｐａｔｔｅｒｎが“０１”、Ｒａｎｋ  ８  ＤＭＲＳ  ｐａｔｔｅｒｎが“１０”に指示されると仮定するとき、ｅＮＢは、“０１”という情報と“０１１０００００”という情報をＵＥに通知することによって、当該ＵＥがＲａｎｋ  ４  ＤＭＲＳ  ｐａｔｔｅｒｎでＤＭＲＳ  ａｎｔｅｎｎａ  ｐｏｒｔ  １、２が割り当てられたことを通知することができる。
【００１６】
前述のような方法でＤＭＲＳ資源を通知することは、ｅＮＢがＵＥに全体１０ビット情報を伝送しなければならない問題点を抱いている。このようなビット数は、実際伝達される情報に比べて相対的に過多であり、ｄｏｗｎｌｉｎｋシステム容量を減少させる要因となる可能性がある。
【００１７】
前述のような方法の他の１つの問題点は、ＤＭＲＳ資源に関する情報を受信したＵＥは、自分に割り当てられたＤＭＲＳ  ａｎｔｅｎｎａ  ｐｏｒｔに関する情報だけを知ることができるので、自分以外のＵＥにどんなＤＭＲＳ  ａｎｔｅｎｎａ  ｐｏｒｔが割り当てられたかを知ることができないという点である。ＬＴＥ−Ａシステムのように、ＭＵ−ＭＩＭＯでｄｏｗｎｌｉｎｋ伝送が行われる無線通信システムの場合、１個のＵＥが自分の信号を受信するうちに、同じ周波数区間及び時間区間で他のＵＥに対する伝送も行われるという点が知ることができる場合、この事実を利用してさらに効果的な受信機アルゴリズムを具現することができる。一例として、現代移動通信システムで広く利用されるＭＭＳＥ（Ｍｉｎｉｍｕｍ  Ｍｅａｎ  Ｓｑｕａｒｅ  Ｅｒｒｏｒ）受信機の場合、干渉の大きさを正確に知っている場合、最適化された性能を得ることができる。ＭＭＳＥ受信機で干渉の大きさを正確に測定するためには、まず、干渉の存在有無を正確に判断しなければならないが、前述したＤＭＲＳ資源通知方法ではこの情報をＵＥに通知することができない。
【００１８】
このようにＤＭＲＳ資源を通知する従来技術の限界及び問題点を克服するためには、ＵＥにＤＭＲＳ資源を効率的に通知すると同時に、ＭＵ−ＭＩＭＯで伝送する場合、干渉を発生させる他のＵＥに対する伝送が行われるか否かに対する効果的な伝達方法が必要である。
【００１９】
ＬＴＥ−Ａシステムで１個のｅＮＢは、最大８個のＤＭＲＳ  ａｎｔｅｎｎａ  ｐｏｒｔを１個のＵＥに割り当てることができる。各ａｎｔｅｎｎａ  ｐｏｒｔは、ｅＮＢがＭＩＭＯで伝送する複数個のｌａｙｅｒのうち１個に対するチャネル推定を行うことができるようにする。ｅＮＢは、制御情報をＵＥに伝達するように設計されたＰＤＣＣＨ（Ｐｈｙｓｉｃａｌ  Ｄｏｗｎｌｉｎｋ  Ｃｏｎｔｒｏｌ  Ｃｈａｎｎｅｌ）を利用してどんなＤＭＲＳ  ａｎｔｅｎｎａ  ｐｏｒｔをＵＥに割り当てるかを通知する。ＤＭＲＳ  ａｎｔｅｎｎａ  ｐｏｒｔの割り当ては、ｅＮＢがＭＩＭＯ伝送を行うとき、各ｌａｙｅｒ毎に１個ずつ必要なので、ｅＮＢのＭＩＭＯ伝送方式と密接な関係を形成する。すなわち、ｅＮＢが３個のｌａｙｅｒを具現するＭＩＭＯ伝送を行う場合、ｅＮＢは、１個または複数個のＵＥに３個のＤＭＲＳ  ａｎｔｅｎｎａ  ｐｏｒｔに対する割り当て制御情報を伝送する。
【発明の概要】
【発明が解決しようとする課題】
【００２０】
本発明の目的は、ＬＴＥ−Ａシステムでｄｏｗｎｌｉｎｋトラフィック信号を受信するのに必要なＤＭＲＳ資源割り当て情報を効率的にＵＥに通知すると同時に、当該ＵＥに自分と同一の周波数区間及び時間区間で他のＵＥに対する伝送がどのＤＭＲＳ資源で行われるかを効果的に通知する方法を提供することにある。
【課題を解決するための手段】
【００２１】
本発明の目的を達成するための無線通信システムで端末の制御情報解釈方法は、少なくとも１個以上の伝送ブロック（ｔｒａｎｓｐｏｒｔ  ｂｌｏｃｋ）に関する情報と、ＤＭＲＳ（Ｄｅ  Ｍｏｄｕｌａｔｉｏｎ  Ｒｅｆｅｒｅｎｃｅ  Ｓｉｇｎａｌ）アンテナポート割り当て指示情報を含む制御情報を基地局から受信する受信段階と、前記制御情報を利用して前記端末に割り当てられた伝送ブロックの個数を確認する確認段階と、前記伝送ブロックの個数によって前記ＤＭＲＳアンテナポート割り当て指示情報を解釈する解釈段階とを含むことを特徴とする。
【００２２】
また、本発明の無線通信システムで基地局の制御情報伝送方法は、端末に割り当てられた伝送ブロックの個数を確認する確認段階と、前記確認された伝送ブロックの個数によってＤＭＲＳ（ＤｅＭｏｄｕｌａｔｉｏｎ  Ｒｅｆｅｒｅｎｃｅ  Ｓｉｇｎａｌ）アンテナポート割り当て指示情報を選択する選択段階と、少なくとも１個以上の伝送ブロック（ｔｒａｎｓｐｏｒｔ  ｂｌｏｃｋ）に関する情報と、前記選択されたＤＭＲＳ（ＤｅＭｏｄｕｌａｔｉｏｎ  Ｒｅｆｅｒｅｎｃｅ  Ｓｉｇｎａｌ）アンテナポート割り当て指示情報を含む制御情報を生成する生成段階と、前記生成された制御情報を前記端末に伝送する伝送段階とを含むことを特徴とする。
【００２３】
また、本発明の無線通信システムで基地局から制御情報を受信して解釈する端末は、少なくとも１個以上の伝送ブロック（ｔｒａｎｓｐｏｒｔ  ｂｌｏｃｋ）に関する情報と、ＤＭＲＳ（ＤｅＭｏｄｕｌａｔｉｏｎ  Ｒｅｆｅｒｅｎｃｅ  Ｓｉｇｎａｌ）アンテナポート割り当て指示情報を含む制御情報を基地局から受信する無線通信部と、前記制御情報を利用して前記端末に割り当てられた伝送ブロックの個数を確認し、前記伝送ブロックの個数によって前記ＤＭＲＳアンテナポート割り当て指示情報を解釈するコントローラとを含むことを特徴とする。
【００２４】
また、本発明の無線通信システムで制御情報を伝送する基地局は、端末に割り当てられた伝送ブロックの個数を確認し、前記確認された伝送ブロックの個数によってＤＭＲＳ（ＤｅＭｏｄｕｌａｔｉｏｎ  Ｒｅｆｅｒｅｎｃｅ  Ｓｉｇｎａｌ）アンテナポート割り当て指示情報を選択し、少なくとも１個以上の伝送ブロック（ｔｒａｎｓｐｏｒｔ  ｂｌｏｃｋ）に関する情報と前記選択されたＤＭＲＳ（ＤｅＭｏｄｕｌａｔｉｏｎ  Ｒｅｆｅｒｅｎｃｅ  Ｓｉｇｎａｌ）アンテナポート割り当て指示情報を含む制御情報を生成するコントローラと、前記生成された制御情報を端末に伝送する無線通信部とを含むことを特徴とする。
【発明の効果】
【００２５】
本発明によれば、ＬＴＥ−Ａシステムでｄｏｗｎｌｉｎｋトラフィック信号を受信するのに必要なＤＭＲＳ資源割り当て情報を効率的にＵＥに通知すると同時に、当該ＵＥに自分と同一の周波数区間及び時間区間で他のＵＥに対する伝送がどのＤＭＲＳ資源で行われるかを効果的に通知することができる。
【図面の簡単な説明】
【００２６】
【図１】１個のＲＢと１個のｓｕｂｆｒａｍｅで構成されるＬＴＥ−Ａでの無線資源でＤＭＲＳが伝送される位置を示す図である。
【図２】ＬＴＥ−Ａで本発明によってＰＤＣＣＨで伝送されるＤＭＲＳ  ａｎｔｅｎｎａ  ｐｏｒｔ割り当て情報を示す図である。
【図３】本発明によってｅＮＢがＵＥにＤＭＲＳ  ａｎｔｅｎｎａ  ｐｏｒｔを割り当てると同時に、同じ周波数及び時間区間で干渉を発生させる可能性がある他のＵＥに対する伝送がどのＤＭＲＳ  ａｎｔｅｎｎａ  ｐｏｒｔを利用して行われるかをｅＮＢが通知する方法を示す図である。
【図４】本発明によってｅＮＢが伝送したＤＭＲＳ  ａｎｔｅｎｎａ  ｐｏｒｔ割り当てｉｎｄｅｘをＵＥが受信し、どんなＤＭＲＳ  ａｎｔｅｎｎａ  ｐｏｒｔが自分に割り当てられたかを判断すると同時に、同じ周波数及び時間区間で自分の受信信号に干渉を発生させる可能性がある他のＵＥに対する伝送がどのＤＭＲＳ  ａｎｔｅｎｎａ  ｐｏｒｔを利用して行われるかをＵＥが判断する方法を示す図である。
【図５】ＭＵ−ＭＩＭＯ伝送で伝送されるｌａｙｅｒの数が３または４の場合、ＤＭＲＳ  ａｎｔｅｎｎａ  ｐｏｒｔを区分するために同じ時間及び周波数資源で２個のｓｃｒａｍｂｌｉｎｇ  ｓｅｑｕｅｎｃｅを利用することを示す図である。
【図６】本発明によってｅＮＢの伝送がＳＵ−ＭＩＭＯまたはＭＵ−ＭＩＭＯ伝送であるかを区別する別途の１ビット制御情報“ＳＵ／ＭＵ−ＭＩＭＯ  Ｉｎｄｉｃａｔｏｒ”とこれと連関されて伝送されるＤＭＲＳ  ａｎｔｅｎｎａ  ｐｏｒｔ割り当て用制御情報を示す図である。
【図７Ａ】本発明によってＳＵ／ＭＵ−ＭＩＭＯ  Ｉｎｄｉｃａｔｏｒを利用する場合、ｅＮＢがＵＥにＤＭＲＳ  ａｎｔｅｎｎａ  ｐｏｒｔを割り当てると同時に、同じ周波数及び時間区間で干渉を発生させる可能性がある他のＵＥに対する伝送がどのＤＭＲＳ  ａｎｔｅｎｎａ  ｐｏｒｔを利用して行われるかをｅＮＢが通知する方法を示す図である。
【図７Ｂ】本発明によってＳＵ／ＭＵ−ＭＩＭＯ  Ｉｎｄｉｃａｔｏｒを利用する場合、ｅＮＢがＵＥにＤＭＲＳ  ａｎｔｅｎｎａ  ｐｏｒｔを割り当てると同時に、同じ周波数及び時間区間で干渉を発生させる可能性がある他のＵＥに対する伝送がどのＤＭＲＳ  ａｎｔｅｎｎａ  ｐｏｒｔを利用して行われるかをｅＮＢが通知する方法を示す図である。
【図８Ａ】本発明によってＳＵ／ＭＵ−ＭＩＭＯ  Ｉｎｄｉｃａｔｏｒを利用する場合、ｅＮＢが伝送したＤＭＲＳ  ａｎｔｅｎｎａ  ｐｏｒｔ割り当てｉｎｄｅｘをＵＥが受信し、どんなＤＭＲＳ  ａｎｔｅｎｎａ  ｐｏｒｔが自分に割り当てられたかを判断すると同時に、同じ周波数及び時間区間で自分の受信信号に干渉を発生させる可能性がある他のＵＥに対する伝送がどのＤＭＲＳ  ａｎｔｅｎｎａ  ｐｏｒｔを利用して 行われるかをＵＥが判断する方法を示す図である。
【図８Ｂ】本発明によってＳＵ／ＭＵ−ＭＩＭＯ  Ｉｎｄｉｃａｔｏｒを利用する場合、ｅＮＢが伝送したＤＭＲＳ  ａｎｔｅｎｎａ  ｐｏｒｔ割り当てｉｎｄｅｘをＵＥが受信し、どんなＤＭＲＳ  ａｎｔｅｎｎａ  ｐｏｒｔが自分に割り当てられたかを判断すると同時に、同じ周波数及び時間区間で自分の受信信号に干渉を発生させる可能性がある他のＵＥに対する伝送がどのＤＭＲＳ  ａｎｔｅｎｎａ  ｐｏｒｔを利用して 行われるかをＵＥが判断する方法を示す図である。
【図９】表８を利用してｅＮＢがＤＭ−ＲＳ  ａｎｔｅｎｎａ  ｐｏｒｔを割り当てる方法を示す図である。
【図１０】表８を利用してｅＮＢがＤＭ−ＲＳ  ａｎｔｅｎｎａ  ｐｏｒｔを割り当てる場合、これを端末が解釈する方法を示す図である。
【図１１】本発明の他の実施例によってＬＴＥ−ＡでＰＤＣＣＨで伝送されるＤＭＲＳ  ａｎｔｅｎｎａ  ｐｏｒｔ割り当て情報を示す図である。
【図１２】本発明によって設計された表１５、１６で伝送されないｔｒａｎｓｐｏｒｔ  ｂｌｏｃｋ用ＮＤＩビットを利用してｔｒａｎｓｍｉｔ  ｄｉｖｅｒｓｉｔｙ可否が通知される過程を示す図である。
【図１３】本発明によって設計された表１７で伝送されないｔｒａｎｓｐｏｒｔ  ｂｌｏｃｋ用ＮＤＩビットを利用して再伝送であるかまたは初期伝送であるか否かとｔｒａｎｓｍｉｔ  ｄｉｖｅｒｓｉｔｙの適用可否が通知される過程を示す図である。
【図１４】本発明によって設計された表１８で伝送されないｔｒａｎｓｐｏｒｔ  ｂｌｏｃｋ用ＮＤＩビットを利用してＳｙｎｃｈｒｏｎｏｕｓ  ＨＡＲＱ適用可否が通知される過程を示す図である。
【発明を実施するための形態】
【００２７】
ＬＴＥ−ＡシステムでＭＩＭＯは、ｅＮＢが伝送するすべてのｌａｙｅｒが１個のＵＥに割り当てられるＳＵ−ＭＩＭＯ、２個以上のＵＥに割り当てられるＭＵ−ＭＩＭＯに区分される。ＳＵ−ＭＩＭＯの場合、１個のＵＥに割り当てることができるｌａｙｅｒの個数が１、２、３、４、５、６、７、８である。すなわち、ＳＵ−ＭＩＭＯの場合、１個から８個までｅＮＢの判断によってＤＭＲＳ  ａｎｔｅｎｎａ  ｐｏｒｔをＵＥに割り当てることができる。一方、ＭＵ−ＭＩＭＯの場合、具現の複雑性を考慮して次のような制約を設ける。
【００２８】
１．ＭＵ−ＭＩＭＯは、同じ周波数資源及び時間資源を利用して最大４個のＵＥに伝送を行う。
２．ＭＵ−ＭＩＭＯは、１個のＵＥに最大２個のｌａｙｅｒだけを割り当てることができる。
３．ＭＵ−ＭＩＭＯは、同じ周波数資源及び時間資源を利用して最大４個のｌａｙｅｒに対する伝送を行う。すなわち、４個のＵＥにそれぞれ１個ずつのｌａｙｅｒを割り当てるか、または２個のＵＥにそれぞれ２個ずつのｌａｙｅｒを割り当てることができるが、３個のＵＥにそれぞれ２個ずつのｌａｙｅｒを割り当てることはできない。
【００２９】
また、ＳＵ−ＭＩＭＯとＭＵ−ＭＩＭＯは、ｅＮＢの判断によって毎ｓｕｂｆｒａｍｅ（１ｍｓｅｃ）単位で周波数区間別に変わることができる。ＬＴＥ−Ａシステムでは、ＭＵ−ＭＩＭＯでｅＮＢの伝送を最大４個のｌａｙｅｒに制限するということをＭＵ−ＭＩＭＯのｃｏｍｐｏｓｉｔｅ  ｒａｎｋを４に制限するという表現に代替することがある。
【００３０】
ＬＴＥ−ＡシステムとＬＴＥシステムが共通的に有するＭＩＭＯ関連制約のうち１つは、１個のｌａｙｅｒには、１個の伝送ブロック（ｔｒａｎｓｐｏｒｔ  ｂｌｏｃｋ）だけを伝送することができるという点である。ここで、ｔｒａｎｓｐｏｒｔ  ｂｌｏｃｋというのは、伝送されるトラフィック（ｔｒａｆｆｉｃ）情報の単位であって、ＬＴＥ及びＬＴＥ−Ａシステムの上位階層から物理階層に伝達され、符号化、変調されて伝送される。ＬＴＥ及びＬＴＥ−ＡシステムでｅＮＢは、１個のＵＥに最大２個のｔｒａｎｓｐｏｒｔ  ｂｌｏｃｋを同じ周波数及び時間資源を利用して伝送することができる。この際、１個のｔｒａｎｓｐｏｒｔ  ｂｌｏｃｋを伝送する場合、当該ＵＥに１個のｌａｙｅｒに伝送されるが、２個のｔｒａｎｓｐｏｒｔ  ｂｌｏｃｋを伝送する場合、最小２個のｌａｙｅｒを利用して伝送する。
【００３１】
本発明は、前述のようなＭＵ−ＭＩＭＯとＳＵ−ＭＩＭＯが有するｌａｙｅｒ割り当ての制約条件と１個のｔｒａｎｓｐｏｒｔ  ｂｌｏｃｋは、１個のｌａｙｅｒに伝送される一方で、２個のｔｒａｎｓｐｏｒｔ  ｂｌｏｃｋは、２個以上のｌａｙｅｒに伝送されるという点とを利用して１個のＵＥに割り当てられるＤＭＲＳ  ａｎｔｅｎｎａ  ｐｏｒｔを通知するのに所要される制御情報量を最小化することができる方案を提示する。これに加えて、ｅＮＢがＵＥに当該ＵＥが伝送される信号がＭＵ−ＭＩＭＯ信号の一部であるか、それともｅＮＢから単独で伝送信号を受信されるＳＵ−ＭＩＭＯであるかを通知する方法を提供する。当該ＵＥが伝送される信号がＭＵ−ＭＩＭＯ信号の一部の場合、どのＤＭＲＳ  ａｎｔｅｎｎａ  ｐｏｒｔで他のＵＥに対する信号が伝送されるかを一緒に通知し、当該ＵＥの干渉成分測定及び除去に活用するようにする。
【００３２】
本発明においてＤＭＲＳ  ａｎｔｅｎｎａ  ｐｏｒｔを端末に通知する方法は、ＤＭＲＳ  ａｎｔｅｎｎａ  ｐｏｒｔに関する情報とＬＴＥ及びＬＴＥ−Ａシステムに既に存在するｔｒａｎｓｐｏｒｔ  ｂｌｏｃｋに関する情報を活用して行われる。前述したように、２個のｔｒａｎｓｐｏｒｔ  ｂｌｏｃｋは、常に２個以上のｌａｙｅｒだけを利用して伝送されることができる。また、１個のｔｒａｎｓｐｏｒｔ  ｂｌｏｃｋは、常に１個のｌａｙｅｒにのみ伝送される。ｅＮＢがＵＥにＬＴＥ及びＬＴＥ−ＡでのトラフィックチャネルであるＰＤＳＣＨを伝送する場合、当該ＵＥに１個のｔｒａｎｓｐｏｒｔ  ｂｌｏｃｋに対する伝送が行われるか、それとも２個のｔｒａｎｓｐｏｒｔ  ｂｌｏｃｋに対する伝送が行われるかを通知する制御情報をＰＤＣＣＨに搭載して伝送する。本発明は、このようなｔｒａｎｓｐｏｒｔ  ｂｌｏｃｋに関する情報とＤＭＲＳ  ａｎｔｅｎｎａ  ｐｏｒｔを割り当てる情報を連携し、最小限の制御情報量で各ＵＥに割り当てられるＤＭＲＳ  ａｎｔｅｎｎａ  ｐｏｒｔを通知する。
【００３３】
図２は、ＬＴＥ−Ａで本発明によってＰＤＣＣＨで伝送されるＤＭＲＳ  ａｎｔｅｎｎａ  ｐｏｒｔ割り当て情報を示す。
【００３４】
図２で、ＤＭＲＳ  ａｎｔｅｎｎａ  ｐｏｒｔ割り当て情報（またはＤＭＲＳ資源指示子、以下同一）は、“ｃｏｎｔｒｏｌ  ｉｎｆｏｒｍａｔｉｏｎ  ＤＭＲＳ  ａｎｔｅｎｎａ  ｐｏｒｔ  ｉｎｄｉｃａｔｉｏｎ”として記載されていて、図示のように、ＰＤＣＣＨで伝送される制御情報の一部としてＵＥに伝達される。図２のように、ＰＤＣＣＨで制御情報を受信したＵＥは、ｔｒａｎｓｐｏｒｔ  ｂｌｏｃｋ  ０に対する制御情報に該当する２１０とｔｒａｎｓｐｏｒｔ  ｂｌｏｃｋ  １に対する制御情報に該当する２２０を参照して２３０のＤＭＲＳ  ａｎｔｅｎｎａ  ｐｏｒｔ割り当てに対する制御情報をどのように判断すべきかを決定する。Ｔｒａｎｓｐｏｒｔ  ｂｌｏｃｋ  ０に対する制御情報に該当する２１０に含まれる情報としては、当該ｔｒａｎｓｐｏｒｔ  ｂｌｏｃｋが伝送されるか否かと、有効な場合、当該ｔｒａｎｓｐｏｒｔ  ｂｌｏｃｋの大きさに関する情報である。また、Ｔｒａｎｓｐｏｒｔ  ｂｌｏｃｋ  １に対する制御情報に該当する２２０に含まれる情報としては、当該ｔｒａｎｓｐｏｒｔ  ｂｌｏｃｋが伝送されるか否かと、有効な場合、当該ｔｒａｎｓｐｏｒｔ  ｂｌｏｃｋの大きさに関する情報である。ｅＮＢは、２１０と２２０を利用してＵＥにｔｒａｎｓｐｏｒｔ  ｂｌｏｃｋ  ０とｔｒａｎｓｐｏｒｔ  ｂｌｏｃｋ  １のうちいずれかが伝送されるか、または２個が共に伝送されるかをＵＥに通知する。図２の２１０、２２０のｔｒａｎｓｐｏｒｔ  ｂｌｏｃｋに対する制御情報は、ＬＴＥシステムから存在していて、ＬＴＥシステムの向上されたバージョンであるＬＴＥ−Ａシステムでも存在する。本発明では、図２の２１０、２２０のように、ｔｒａｎｓｐｏｒｔ  ｂｌｏｃｋに対する制御情報と２３０のＤＭＲＳ資源指示子に関する情報を連携し、最小限のビット数を利用してＤＭＲＳ  ａｎｔｅｎｎａ  ｐｏｒｔに対する割り当てを行う。
【００３５】
表１は、本発明によってＵＥに割り当てられるＤＭＲＳ  ａｎｔｅｎｎａ  ｐｏｒｔ情報を通知するのに利用されるｉｎｄｅｘと各ｉｎｄｅｘが意味するものを整理したものである。表１は、次のようなＭＩＭＯ伝送に対するＤＭＲＳ  ａｎｔｅｎｎａ  ｐｏｒｔ割り当てを通知する。
【００３６】
〈システム特性１〉
１．１〜８個のｌａｙｅｒに対するＳＵ−ＭＩＭＯ伝送
２．１個のＵＥに最大２個のｌａｙｅｒを割り当てるＭＵ−ＭＩＭＯ伝送
３．最大４個のＵＥにＭＵ−ＭＩＭＯ伝送
４．最大４個のｌａｙｅｒに対するＭＵ−ＭＩＭＯ伝送（ＭＵ−ＭＩＭＯのｃｏｍｐｏｓｉｔｅ  ｒａｎｋ最大値４）
【００３７】
表１は、前述のようなｅＮＢ伝送に対してｓｃｈｅｄｕｌｅされるＵＥに割り当てられたＤＭＲＳ  ａｎｔｅｎｎａ  ｐｏｒｔを通知する機能だけでなく、ＭＵ−ＭＩＭＯ伝送の場合、ＤＭＲＳ  ａｎｔｅｎｎａ  ｐｏｒｔを割り当てるＵＥに同じ時間及び周波数区間で干渉を発生させる可能性がある他のＵＥに対する信号がどのＤＭＲＳ  ａｎｔｅｎｎａ  ｐｏｒｔを利用して行われるかを通知する。
【００３８】
本発明によって基地局は、表１に示されたように、ｔｒａｎｓｐｏｒｔ  ｂｌｏｃｋの使用有無によって、ＤＭＲＳ資源指示子によるＤＭＲＳ資源割り当て方法を互いに異なって定義する。
【００３９】
これに対応して、本発明のＵＥは、表１の２個のｔｒａｎｓｐｏｒｔ  ｂｌｏｃｋのうちｔｒａｎｓｐｏｒｔ  ｂｌｏｃｋ  ０が伝送される場合と、ｔｒａｎｓｐｏｒｔ  ｂｌｏｃｋ  １が伝送される場合と、ｔｒａｎｓｐｏｒｔ  ｂｌｏｃｋ  ０とｔｒａｎｓｐｏｒｔ  ｂｌｏｃｋ  １が共に伝送される場合とによってｅＮＢが伝送するｉｎｄｅｘを異なって解釈する。一例として、ｅＮＢがＵＥにｉｎｄｅｘ値３に該当する意味は、図２の２１０と２２０がどのように設定されたかによって異なって解釈される。図２の２１０によってｔｒａｎｓｐｏｒｔ  ｂｌｏｃｋ  ０は伝送されず、図２の２２０によってｔｒａｎｓｐｏｒｔ  ｂｌｏｃｋ  １だけが伝送されるものに設定されたと仮定する。このような場合、ＵＥは、図１の１１０に該当するｒａｎｋ  ４  ＤＭＲＳ  ｐａｔｔｅｒｎでＤＭＲＳ  ａｎｔｅｎｎａ  ｐｏｒｔ３が自分に割り当てられ、ＤＭＲＳ  ａｎｔｅｎｎａ  ｐｏｒｔ  ０、１、２は、他のＵＥに割り当てられるＭＵ−ＭＩＭＯ伝送がｅＮＢから行われたと判断する。すなわち、ＵＥは、自分に割り当てられたＤＭＲＳ  ａｎｔｅｎｎａ  ｐｏｒｔに関する情報を通知されると同時に、自分に干渉効果を発生させる他のＵＥ用伝送がどんなＤＭＲＳ  ａｎｔｅｎｎａ  ｐｏｒｔを利用して行われるかを判断することができるようになり、干渉に対する効果的な対処を行うことができるようになる。
【００４０】
表１を利用してＤＭＲＳ  ａｎｔｅｎｎａ  ｐｏｒｔを割り当てる場合、全体４ビットの情報量が必要である。これは、表１の各列が有するｉｎｄｅｘの種類が最大１０であるからである。すなわち、表１を利用する場合、図２の２３０に４ビットのＤＭＲＳ  ａｎｔｅｎｎａ  ｐｏｒｔ割り当て及び干渉関連情報が搭載されて伝送される。
【００４１】
【表１Ａ】
0005993063.tif 000002
【表１Ｂ】
0005993063.tif 000003
【００４２】
＜ＵＥ当たり最大８個のｌａｙｅｒを割り当てるＳＵ−ＭＩＭＯ及び最大ｃｏｍｐｏｓｉｔｅ  ｒａｎｋ  ４であり、ＵＥ当たり最大２個のｌａｙｅｒを割り当てるＭＵ−ＭＩＭＯ（最大４個のｃｏ−ｓｃｈｅｄｕｌｅｄ  ＵＥ）伝送方式でＤＭＲＳ  ａｎｔｅｎｎａ  ｐｏｒｔ及び干渉通知方法＞
【００４３】
一方、表１に示されるＤＭＲＳアンテナポート０は、全体基準信号（Ｒｅｆｅｒｅｎｃｅ  Ｓｉｇｎａｌ、ＲＳ）のうちＤＭＲＳが割り当てられた最初のアンテナポートを意味し、任意のＤＭＲＳアンテナポートｎは、前記ＤＭＲＳアンテナポート０を基準にして順次に増加してナンバリングされる。
【００４４】
より具体的に説明すれば、ＬＴＥ及びＬＴＥ−Ａシステムで使用する基準信号（Ｒｅｆｅｒｅｎｃｅ  Ｓｉｇｎａｌ、ＲＳ）には、共通基準信号（Ｃｏｍｍｏｎ  Ｒｅｆｅｒｅｎｃｅ  Ｓｉｇｎａｌ、ＣＲＳ）、ＭＢＭＳ放送用基準信号、専用基準信号（Ｄｅｄｉｃａｔｅｄ  Ｒｅｆｅｒｅｎｃｅ  Ｓｉｇｎａｌ、ＤＲＳ）、位置基準信号（Ｐｏｓｉｔｉｏｎｉｎｇ  Ｒｅｆｅｒｅｎｃｅ  Ｓｉｇｎａｌ、ＰＲＳ）、復調基準信号（ＤｅＭｏｄｕｌａｔｉｏｎ  Ｒｅｆｅｒａｎｃｅ  Ｓｉｇｎａｌ、ＤＭＲＳ）などがある。この場合、アンテナポート０〜３は、ＣＲＳに対して割り当てられ、アンテナポート４は、ＭＢＭＳ放送用基準信号に対して割り当てられ、アンテナポート５は、ＤＲＳに対して割り当てられ、アンテナポート６は、ＰＲＳに対して割り当てられ、アンテナポート７〜１４は、ＤＭＲＳに対して割り当てられる。本発明のＤＭＲＳアンテナポート０は、アンテナポート７に対応し、ＤＭＲＳアンテナポート１は、アンテナポート８に対応するものと解釈されることができ、以下の説明にも同様の原理が適用されることを仮定する。
【００４５】
図３は、本発明によってｅＮＢがＵＥにＤＭＲＳ  ａｎｔｅｎｎａ  ｐｏｒｔを割り当てると同時に、同じ周波数及び時間区間で干渉を発生させる可能性がある他のＵＥに対する伝送がどのＤＭＲＳ  ａｎｔｅｎｎａ  ｐｏｒｔを利用して行われるかをｅＮＢが通知する方法を示す。
【００４６】
図３の過程３１０で、ｅＮＢは、特定の時間及び周波数資源に対するｓｃｈｅｄｕｌｉｎｇを行う。ここで、ｓｃｈｅｄｕｌｉｎｇというのは、特定の時間及び周波数資源をどんなＵＥまたはＵＥに割り当てるかを決定し、各ＵＥにどんなデータ伝送速度で伝送を行うかを判断する過程を意味する。図３の過程３１０で、ｓｃｈｅｄｕｌｉｎｇが行われ、ｅＮＢは、一緒にスケージュリングされる（ｃｏｓｃｈｅｄｕｌｅ）ＵＥの個数をＮに設定する。ここで、Ｎの値が１の場合、ＳＵ−ＭＩＭＯ伝送が行われ、２、３、または４の場合、ＭＵ−ＭＩＭＯ伝送が行われる。図３の過程３１０で、ｓｃｈｅｄｕｌｉｎｇが完了した後、ｅＮＢは、ｊ番目のＵＥに対するＤＭＲＳ  ａｎｔｅｎｎａ  ｐｏｒｔ通知のためのｉｎｄｅｘを過程３２０から行う。図３で、変数ｊは、ｃｏｓｃｈｅｄｕｌｅされるＵＥを区分するための変数であって、この値は、過程３２０で、０に初期化される。過程３３０で、ｅＮＢは、ｊ番目のｃｏｓｃｈｅｄｕｌｅされるＵＥに割り当てられるｔｒａｎｓｐｏｒｔ  ｂｌｏｃｋの個数を確認する。Ｃｏｓｃｈｅｄｕｌｅされる１個のＵＥに伝送されることができるｔｒａｎｓｐｏｒｔ  ｂｌｏｃｋの個数は、１または２である。ＵＥに１個のｔｒａｎｓｐｏｒｔ  ｂｌｏｃｋが伝送される場合、当該ｔｒａｎｓｐｏｒｔ  ｂｌｏｃｋは、ｔｒａｎｓｐｏｒｔ  ｂｌｏｃｋ  ０またはｔｒａｎｓｐｏｒｔ  ｂｌｏｃｋ  １の形態で伝送されることができる。
【００４７】
図３の過程３３０で、ｔｒａｎｓｐｏｒｔ  ｂｌｏｃｋ  ０だけが伝送されるものと判断される場合、ｅＮＢは、過程３４０で、ｊ番目のＵＥに割り当てるＤＭＲＳ  ａｎｔｅｎｎａ  ｐｏｒｔを通知するためのｉｎｄｅｘを表１の１番目の列から選択する。表１の１番目の列は、ＵＥにｔｒａｎｓｐｏｒｔ  ｂｌｏｃｋ  ０だけが伝送され、ｔｒａｎｓｐｏｒｔ  ｂｌｏｃｋ  １は伝送されない場合、ＤＭＲＳ  ａｎｔｅｎｎａ  ｐｏｒｔを割り当て、同じ時間及び周波数区間に他のＵＥの存在有無と、存在すれば、当該ＵＥがどんなＤＭＲＳ  ａｎｔｅｎｎａ  ｐｏｒｔを利用するかを通知するのに利用される。
【００４８】
また、図３の過程３３０で、ｔｒａｎｓｐｏｒｔ  ｂｌｏｃｋ  １だけが伝送されるものと判断される場合、ｅＮＢは、過程３５０で、ｊ番目のＵＥに割り当てるＤＭＲＳ  ａｎｔｅｎｎａ  ｐｏｒｔを通知するためのｉｎｄｅｘを表１の２番目の列から選択する。表１の２番目の列は、ＵＥにｔｒａｎｓｐｏｒｔ  ｂｌｏｃｋ  １だけが伝送され、ｔｒａｎｓｐｏｒｔ  ｂｌｏｃｋ  ０は伝送されない場合、ＤＭＲＳ  ａｎｔｅｎｎａ  ｐｏｒｔを割り当て、同じ時間及び周波数区間に他のＵＥの存在有無と、存在すれば、当該ＵＥらがどんなＤＭＲＳ  ａｎｔｅｎｎａ  ｐｏｒｔを利用するかを通知するのに利用される。
【００４９】
また、図３の過程３３０で、ｔｒａｎｓｐｏｒｔ  ｂｌｏｃｋ  ０とｔｒａｎｓｐｏｒｔ  ｂｌｏｃｋ  １が共に伝送されるものと判断される場合、ｅＮＢは、過程３６０で、ｊ番目のＵＥに割り当てるＤＭＲＳ  ａｎｔｅｎｎａ  ｐｏｒｔを通知するためのｉｎｄｅｘを表１の３番目の列から選択する。表１の３番目の列は、ＵＥにｔｒａｎｓｐｏｒｔ  ｂｌｏｃｋ  ０とｔｒａｎｓｐｏｒｔ  ｂｌｏｃｋ  １が共に伝送される場合、ＤＭＲＳ  ａｎｔｅｎｎａ  ｐｏｒｔを割り当て、同じ時間及び周波数区間に他のＵＥの存在有無と、存在すれば、当該ＵＥがどんなＤＭＲＳ  ａｎｔｅｎｎａ  ｐｏｒｔを利用するかを通知するのに利用される。
【００５０】
図３の過程３４０、３５０、または３６０でｃｏｓｃｈｅｄｕｌｅされるｊ番目のＵＥのためのＤＭＲＳ  ａｎｔｅｎｎａ  ｐｏｒｔ割り当てｉｎｄｅｘが決定された後、過程３７０で、すべてのｃｏｓｃｈｅｄｕｌｅｄ  ＵＥに対するＤＭＲＳ  ａｎｔｅｎｎａ  ｐｏｒｔ割り当てｉｎｄｅｘが決定されたかを判断する。過程３７０で、ｊの値がＮの場合、すべてのｃｏｓｃｈｅｄｕｌｅｄ  ＵＥに対するＤＭＲＳ  ａｎｔｅｎｎａ  ｐｏｒｔ割り当てｉｎｄｅｘが決定される。過程３７０で、すべてのｃｏｓｃｈｅｄｕｌｅｄ  ＵＥに対するＤＭＲＳ  ａｎｔｅｎｎａ  ｐｏｒｔ割り当てｉｎｄｅｘが決定された場合、図３の過程３９０のように、各ＵＥに当該ＤＭＲＳ  ａｎｔｅｎｎａ  ｐｏｒｔ割り当てｉｎｄｅｘがＰＤＣＣＨを利用して通知される。また、ｃｏｓｃｈｅｄｕｌｅｄ  ＵＥのうちＤＭＲＳ  ａｎｔｅｎｎａ  ｐｏｒｔ割り当てｉｎｄｅｘが決定されないＵＥが存在する場合、当該ｃｏｓｃｈｅｄｕｌｅｄ  ＵＥに対して過程３３０からＤＭＲＳ  ａｎｔｅｎｎａ  ｐｏｒｔ割り当てｉｎｄｅｘを決定する。
【００５１】
図４は、本発明によってｅＮＢが伝送したＤＭＲＳ  ａｎｔｅｎｎａ  ｐｏｒｔ割り当てｉｎｄｅｘをＵＥが受信し、どんなＤＭＲＳ  ａｎｔｅｎｎａ  ｐｏｒｔが自分に割り当てられたかを判断すると同時に、同じ周波数及び時間区間で自分の受信信号に干渉を発生させる可能性がある他のＵＥに対する伝送がどのＤＭＲＳ  ａｎｔｅｎｎａ  ｐｏｒｔを利用して行われるかをＵＥが判断する方法を示す。
【００５２】
図４の過程４０５で、ＵＥは、ＰＤＣＣＨ  ｂｌｉｎｄ  ｄｅｃｏｄｉｎｇを行う。過程４０５のｂｌｉｎｄ  ｄｅｃｏｄｉｎｇは、ＵＥが自分のためのＰＤＣＣＨ伝送が正確にどの時間及び周波数区間で行われるかを知ることができないので、多数の候補時間及び周波数区間で伝送が行なわれたという仮定下でｄｅｃｏｄｉｎｇを行い、ＣＲＣで正しいｄｅｃｏｄｉｎｇが行われた場合にのみ、当該ｄｅｃｏｄｉｎｇされた制御情報を利用することによって、ＬＴＥ及びＬＴＥ−Ａシステムで利用される。
【００５３】
図４の過程４０５で、ＵＥがｂｌｉｎｄ  ｄｅｃｏｄｉｎｇを行い、過程４１０で、自分のためのｄｏｗｎｌｉｎｋ  ｓｃｈｅｄｕｌｉｎｇ用ＰＤＣＣＨが受信されたかを判断する。過程４１０で、自分のためのｄｏｗｎｌｉｎｋ  ｓｃｈｅｄｕｌｉｎｇ用ＰＤＣＣＨが受信されなかったと判断される場合、ＵＥは、過程４０５に戻って、ＰＤＣＣＨ  ｂｌｉｎｄ  ｄｅｃｏｄｉｎｇをさらに行う。ＵＥが過程４１０で自分のためのｄｏｗｎｌｉｎｋ  ｓｃｈｅｄｕｌｉｎｇ用ＰＤＣＣＨが受信されたと判断する場合、ＵＥは、過程４１５のように、ＰＤＣＣＨに搭載されたｄｏｗｎｌｉｎｋ  ｃｏｎｔｒｏｌ  ｉｎｆｏｒｍａｔｉｏｎ（ＤＣＩ）を確認する。Ｄｏｗｎｌｉｎｋ  ｃｏｎｔｒｏｌ  ｉｎｆｏｒｍａｔｉｏｎは、図２のように、ｔｒａｎｓｐｏｒｔ  ｂｌｏｃｋ  ０、ｔｒａｎｓｐｏｒｔ  ｂｌｏｃｋ  １に関する制御情報、ＤＭＲＳ  ａｎｔｅｎｎａ  ｐｏｒｔ割り当て制御情報、その他の制御情報より構成される。
【００５４】
図４の過程４１５で、ＰＤＣＣＨに搭載されたＤＣＩを確認したＵＥは、図２のｔｒａｎｓｐｏｒｔ  ｂｌｏｃｋ  ０関連制御情報２１０とｔｒａｎｓｐｏｒｔ  ｂｌｏｃｋ  １関連制御情報２２０でｔｒａｎｓｐｏｒｔ  ｂｌｏｃｋ  ０だけが伝送されたか、それともｔｒａｎｓｐｏｒｔ  ｂｌｏｃｋ  １だけが伝送されたか、それともｔｒａｎｓｐｏｒｔ  ｂｌｏｃｋ  ０とｔｒａｎｓｐｏｒｔ  ｂｌｏｃｋ  １が共に伝送されたかを判断する。過程４２０で、ｔｒａｎｓｐｏｒｔ  ｂｌｏｃｋ  ０だけが伝送されたと判断する場合、ＵＥは、過程４２５で、図２のＤＭＲＳ  ａｎｔｅｎｎａ  ｐｏｒｔ割り当て制御情報２３０が示すｉｎｄｅｘに該当する表１の１番目の列のメッセージ（ｍｅｓｓａｇｅ）を用いて割り当てられたＤＭＲＳ  ａｎｔｅｎｎａ  ｐｏｒｔに関する情報を確認する。また、ＵＥは、過程４２５で、他のＵＥに対する伝送が一緒に行われるＭＵ−ＭＩＭＯであるか否かと、当該ＵＥがどのＤＭＲＳ  ａｎｔｅｎｎａ  ｐｏｒｔを利用するかに関する情報を確認する。過程４２０で、ｔｒａｎｓｐｏｒｔ  ｂｌｏｃｋ  １だけが伝送されたと判断する場合、ＵＥは、過程４３０で、図２のＤＭＲＳ  ａｎｔｅｎｎａ  ｐｏｒｔ割り当て制御情報２３０が示すｉｎｄｅｘに該当する表１の２番目の列のメッセージ（ｍｅｓｓａｇｅ）を用いて割り当てられたＤＭＲＳ  ａｎｔｅｎｎａ  ｐｏｒｔに関する情報を確認する。また、ＵＥは、過程４３０で他のＵＥに対する伝送が一緒に行われるＭＵ−ＭＩＭＯであるか否かと、当該ＵＥがどのＤＭＲＳ  ａｎｔｅｎｎａ  ｐｏｒｔを利用するかに関する情報を確認する。過程４２０で、ｔｒａｎｓｐｏｒｔ  ｂｌｏｃｋ  ０とｔｒａｎｓｐｏｒｔ  ｂｌｏｃｋ  １が共に伝送されたと判断する場合、ＵＥは、過程４３５で、図２のＤＭＲＳ  ａｎｔｅｎｎａ  ｐｏｒｔ割り当て制御情報２３０が示すｉｎｄｅｘに該当する表１の３番目の列のメッセージ（ｍｅｓｓａｇｅ）を用いて割り当てられたＤＭＲＳ  ａｎｔｅｎｎａ  ｐｏｒｔに関する情報を確認する。また、ＵＥは、過程４２５で、他のＵＥに対する伝送が一緒に行われるＭＵ−ＭＩＭＯであるか否かと、当該ＵＥがどのＤＭＲＳ  ａｎｔｅｎｎａ  ｐｏｒｔを利用するかに関する情報を確認する。
【００５５】
図４の過程４２５及び過程４３０で、自分に割り当てられたＤＭＲＳ  ａｎｔｅｎｎａ  ｐｏｒｔを確認したＵＥの場合、ｔｒａｎｓｐｏｒｔ  ｂｌｏｃｋ  ０またはｔｒａｎｓｐｏｒｔ  ｂｌｏｃｋ  １のうち１個に対する伝送だけをｅＮＢから受信する。このような場合、ＵＥは、過程４４０のように、１個の割り当てられたＤＭＲＳ  ａｎｔｅｎｎａ  ｐｏｒｔを利用して１個のｌａｙｅｒに対するチャネルを推定する。また、過程４３５で、自分に割り当てられたＤＭＲＳ  ａｎｔｅｎｎａ  ｐｏｒｔを確認したＵＥの場合、ｔｒａｎｓｐｏｒｔ  ｂｌｏｃｋ  ０とｔｒａｎｓｐｏｒｔ  ｂｌｏｃｋ  １の両方に対する伝送をｅＮＢから受信する。このような場合、ＵＥは、過程４４５のように、複数個の割り当てられたＤＭＲＳ  ａｎｔｅｎｎａ  ｐｏｒｔを利用してそれに相当する複数個のｌａｙｅｒに対するチャネル推定を行う。過程４４０と過程４４５で、チャネル推定を行ったＵＥは、過程４５０で、当該時間及び周波数空間で自分以外に他のＵＥに対する伝送も一緒に行われたかを判断する。すなわち、過程４５０で、ＵＥは、自分が受信した信号が同じ時間及び周波数区間で１個のＵＥに対する伝送を行うＳＵ−ＭＩＭＯ伝送であるか、それとも複数個のＵＥに対する伝送を行うＭＵ−ＭＩＭＯ伝送であるかを判断する。過程４５０で、ＭＵ−ＭＩＭＯ可否は、過程４２５、過程４３０、過程４３５のＤＭＲＳ  ａｎｔｅｎｎａ  ｐｏｒｔ割り当て情報とともに通知される他のＵＥに対する伝送存在有無及び他のＵＥに割り当てられたＤＭＲＳ  ａｎｔｅｎｎａ  ｐｏｒｔ情報を利用して把握可能である。過程４５０で、ＭＵ−ＭＩＭＯ伝送であると判断される場合、ＵＥは、過程４５５で、自分以外に他のＵＥに割り当てられたＤＭＲＳ  ａｎｔｅｎｎａ  ｐｏｒｔに搭載された信号を検出し、これを自分の受信信号の性能を改善させるのに活用する。過程４５５で、自分の受信信号の性能を改善させる１つの方法は、他のＵＥに割り当てられたＤＭＲＳの信号強度を測定し、ＭＭＳＥ（Ｍｉｎｉｍｕｍ  Ｍｅａｎ  Ｓｑｕａｒｅ  Ｅｓｔｉｍａｔｏｒ）受信機に活用することである。また、他の方法は、どんなＤＭＲＳ  ａｎｔｅｎｎａ  ｐｏｒｔが他のＵＥに割り当てられたかを把握した後、これを利用して干渉除去（ｉｎｔｅｒｆｅｒｅｎｃｅ  ｃａｎｃｅｌｌａｔｉｏｎ）受信機を活用することである。過程４５０で、ＭＵ−ＭＩＭＯではないＳＵ−ＭＩＭＯ伝送であると判断される場合、ＵＥは、当該ｅＮＢで自分と同じ時間及び周波数資源を利用して他のＵＥに対する伝送を行わないという仮定の下でＳＵ−ＭＩＭＯ受信方法で過程４６０のように受信信号を処理する。
【００５６】
図４の過程４５５または過程４６０で受信動作を完了したＵＥは、過程４０５でＰＤＣＣＨｂｌｉｎｄ  ｄｅｃｏｄｉｎｇを再開する。
【００５７】
表１は、前述した〈システム特性１〉のような特性を有するＳＵ−ＭＩＭＯ及びＭＵ−ＭＩＭＯをサポートするのに利用される。ＬＴＥ−Ａシステムでは、実際に〈システム特性１〉と異なる形態のＳＵ−ＭＩＭＯ及びＭＵ−ＭＩＭＯでｅＮＢが伝送を行うこともできる。表２は、本発明によって次の〈システム特性２〉のような特性を有するＳＵ−ＭＩＭＯ及びＭＵ−ＭＩＭＯをサポートするのに利用される。
【００５８】
〈システム特性２〉
１．１〜８個のｌａｙｅｒに対するＳＵ−ＭＩＭＯ伝送
２．１個のＵＥに最大２個のｌａｙｅｒを割り当てるＭＵ−ＭＩＭＯ伝送
３．最大２個のＵＥにＭＵ−ＭＩＭＯ伝送
４．最大４個のｌａｙｅｒに対するＭＵ−ＭＩＭＯ伝送（ＭＵ−ＭＩＭＯのｃｏｍｐｏｓｉｔｅ  ｒａｎｋ最大値４）
【００５９】
システム特性２のように、同時に最大２個のＵＥに対するｃｏｓｃｈｅｄｕｌｉｎｇを行う場合、表１と比較して通知が必要なＤＭＲＳ  ａｎｔｅｎｎａ  ｐｏｒｔ割り当て及び干渉関連情報の場合の数が相対的に減少する。このように場合の数が減少することは、表２の１番目の列、２番目の列を表１の１番目の列、２番目の列と比較すれば分かる。
【００６０】
表２を利用してＤＭＲＳ  ａｎｔｅｎｎａ  ｐｏｒｔを割り当てる場合、全体４ビットの情報量が必要である。これは、表２の各列が有するｉｎｄｅｘの種類が最大１０であるからである。すなわち、表２を利用する場合、図２の２３０に４ビットのＤＭＲＳ  ａｎｔｅｎｎａ  ｐｏｒｔ割り当て及び干渉関連情報が搭載されて伝送される。
【００６１】
【表２Ａ】
0005993063.tif 000004
【表２Ｂ】
0005993063.tif 000005
【００６２】
＜ＵＥ当たり最大８個のｌａｙｅｒを割り当てるＳＵ−ＭＩＭＯ及び最大ｃｏｍｐｏｓｉｔｅ  ｒａｎｋ  ４であり、ＵＥ当たり最大２個のｌａｙｅｒを割り当てるＭＵ−ＭＩＭＯ（最大２個のｃｏ−ｓｃｈｅｄｕｌｅｄ  ＵＥ）伝送方式でＤＭＲＳ  ａｎｔｅｎｎａ  ｐｏｒｔ及び干渉通知方法＞
【００６３】
表２を利用してｅＮＢがＤＭＲＳ  ａｎｔｅｎｎａ  ｐｏｒｔ割り当てｉｎｄｅｘを決定する方法は、表１に対して図示した図３の場合と同一である。また、ＵＥがＤＭＲＳ  ａｎｔｅｎｎａ  ｐｏｒｔ割り当てｉｎｄｅｘを受信し、これを解釈する方法も、表１に対して図示した図４の場合と同一である。
【００６４】
表３は、本発明によってＵＥに割り当てられるＤＭＲＳ  ａｎｔｅｎｎａ  ｐｏｒｔ情報を通知するのに利用されるｉｎｄｅｘと各ｉｎｄｅｘが意味することを整理したものである。表３は、〈システム特性１〉のようなＭＩＭＯ伝送に対するＤＭＲＳ  ａｎｔｅｎｎａ  ｐｏｒｔ割り当てを通知する。表３が表１と異なる点は、ＤＭＲＳ信号を伝送するに際して利用されるＤＭＲＳ  ｐａｔｔｅｒｎ及び各ＤＭＲＳ  ａｎｔｅｎｎａ  ｐｏｒｔ別にＤＭＲＳ信号を区分する方法にある。具体的に、表３では、下記のように、スクランブリングシーケンス（ｓｃｒａｍｂｌｉｎｇ  ｓｅｑｕｅｎｃｅ）を使用してＤＭＲＳ  ｐａｔｔｅｒｎ及び各ＤＭＲＳ  ａｎｔｅｎｎａ  ｐｏｒｔ別にＤＭＲＳ信号を区分するようになる。
【００６５】
前述した図１で、ＭＵ−ＭＩＭＯ伝送で伝送されるｌａｙｅｒの数が３または４の場合、ｅＮＢは、図１の１１０のように、周波数領域とコード分割に区分されるＤＭＲＳ信号を各ＤＭＲＳ  ａｎｔｅｎｎａ  ｐｏｒｔに割り当てた。すなわち、ＤＭＲＳ  ａｎｔｅｎｎａ  ｐｏｒｔ  ０は、青いＲＥ領域で長さ２のＷａｌｓｈ  ｃｏｄｅ  ０番（＋１、＋１）で伝送される一方で、ＤＭＲＳ  ａｎｔｅｎｎａ  ｐｏｒｔ  ３は、赤いＲＥ領域で長さ２のＷａｌｓｈｃｏｄｅ  １番（＋１、−１）で伝送される。表１は、ＭＵ−ＭＩＭＯ伝送で伝送されるｌａｙｅｒの数が３または４の場合、このように各ＤＭＲＳ  ａｎｔｅｎｎａ  ｐｏｒｔのＤＭＲＳ信号を区分する場合に該当する。
【００６６】
ＭＵ−ＭＩＭＯ伝送で伝送されるｌａｙｅｒの数が３または４の場合、ＤＭＲＳ  ａｎｔｅｎｎａ  ｐｏｒｔを区分するまた１つの方法は、２個のスクランブリングシーケンス（ｓｃｒａｍｂｌｉｎｇ  ｓｅｑｕｅｎｃｅ）を利用する方法である。すなわち、ＭＵ−ＭＩＭＯ伝送で伝送されるｌａｙｅｒの数が３または４の場合、図１の１１０のように、追加的に赤いＲＥ領域をＤＭＲＳ伝送のために追加ＲＥを割り当てることなく、青いＲＥ領域で追加的なｓｃｒａｍｂｌｉｎｇ  ｓｅｑｕｅｎｃｅを活用してＭＵ−ＭＩＭＯ伝送で４個までのＤＭＲＳ  ａｎｔｅｎｎａ  ｐｏｒｔに対する伝送を行うことである。このような方法は、結果的に、ｒａｎｋ  ２  ＤＭＲＳ  ｐａｔｔｅｒｎを利用し、２個のｓｃｒａｍｂｌｉｎｇ  ｓｅｑｕｅｎｃｅ利用し、１個のｓｃｒａｍｂｌｉｎｇ  ｓｅｑｕｅｎｃｅ当たりＤＭＲＳ  ａｎｔｅｎｎａ  ｐｏｒｔ  ０とＤＭＲＳ  ａｎｔｅｎｎａ  ｐｏｒｔ  １を共に定義するものと同一である。すなわち、ＭＵ−ＭＩＭＯを利用して伝送されるｌａｙｅｒの数が３または４の場合、ＤＭＲＳ  ａｎｔｅｎｎａ  ｐｏｒｔは、次のように区分される。
【００６７】
１．Ｓｃｒａｍｂｌｉｎｇ  ｓｅｑｕｅｎｃｅ  ０（ＳＣ０）を利用し、Ｗａｌｓｈ  ｃｏｄｅ  ０番を利用するＤＭＲＳ  ａｎｔｅｎｎａ  ｐｏｒｔ０
２．Ｓｃｒａｍｂｌｉｎｇ  ｓｅｑｕｅｎｃｅ  ０（ＳＣ０）を利用し、Ｗａｌｓｈ  ｃｏｄｅ  １番を利用するＤＭＲＳ  ａｎｔｅｎｎａ  ｐｏｒｔ１
３．Ｓｃｒａｍｂｌｉｎｇ  ｓｅｑｕｅｎｃｅ  １（ＳＣ１）を利用し、Ｗａｌｓｈ  ｃｏｄｅ  ０番を利用するＤＭＲＳ  ａｎｔｅｎｎａ  ｐｏｒｔ０
４．Ｓｃｒａｍｂｌｉｎｇ  ｓｅｑｕｅｎｃｅ  １（ＳＣ１）を利用し、Ｗａｌｓｈ  ｃｏｄｅ  １番を利用するＤＭＲＳ  ａｎｔｅｎｎａ  ｐｏｒｔ１
【００６８】
前記ＭＵ−ＭＩＭＯを利用して伝送されるｌａｙｅｒの数が３または４の場合、ＤＭＲＳ  ａｎｔｅｎｎａ  ｐｏｒｔを区分する方法で各ｓｃｒａｍｂｌｉｎｇ  ｓｅｑｕｅｎｃｅ別にＤＭＲＳ  ａｎｔｅｎｎａ  ｐｏｒｔ  ０、ＤＭＲＳ  ａｎｔｅｎｎａ  ｐｏｒｔ  １を設けた。このような方法以外にも、上記４種の異なる場合をそれぞれＤＭＲＳ  ａｎｔｅｎｎａ  ｐｏｒｔ  ０、ＤＭＲＳ  ａｎｔｅｎｎａ  ｐｏｒｔ  １、ＤＭＲＳ  ａｎｔｅｎｎａ  ｐｏｒｔ  ２、ＤＭＲＳ  ａｎｔｅｎｎａ  ｐｏｒｔ  ３と命名して利用しても、本発明で同一の効果を得ることができる。
【００６９】
図５は、ＭＵ−ＭＩＭＯ伝送で伝送されるｌａｙｅｒの数が３または４の場合、ＤＭＲＳ  ａｎｔｅｎｎａ  ｐｏｒｔを区分するために同じ時間及び周波数資源で２個のｓｃｒａｍｂｌｉｎｇ  ｓｅｑｕｅｎｃｅを利用することを示す図である。図５で、４個のＤＭＲＳ  ａｎｔｅｎｎａ  ｐｏｒｔに対するＤＭＲＳが同一のＲＥ領域で２個のｓｃｒａｍｂｌｉｎｇ  ｓｅｑｕｅｎｃｅを利用して伝送されることが分かる。
【００７０】
表３は、前述したように、ＭＵ−ＭＩＭＯでｃｏｍｐｏｓｉｔｅ  ｒａｎｋ  ３または４を伝送する場合、２個のｓｃｒａｍｂｌｉｎｇ  ｓｅｑｕｅｎｃｅを利用するＤＭＲＳ  ｐａｔｔｅｒｎを活用する場合、本発明によってＵＥに割り当てられるＤＭＲＳ  ａｎｔｅｎｎａ  ｐｏｒｔ情報を通知するのに利用されるｉｎｄｅｘと各ｉｎｄｅｘが意味することを整理したものである。表３で、ＳＣは、ｓｃｒａｍｂｌｉｎｇ  ｓｅｑｕｅｎｃｅに対する略字であり、ＳＵ−ＭＩＭＯ伝送の場合、常にｓｃｒａｍｂｌｉｎｇ  ｓｅｑｕｅｎｃｅが０であると仮定した。
【００７１】
本発明による表３でのＵＥに割り当てられるＤＭＲＳ  ａｎｔｅｎｎａ  ｐｏｒｔ情報を通知するのに利用されるｉｎｄｅｘと各ｉｎｄｅｘが意味することを整理したものは、基本的に表１と同一である。１つの差異点は、表１の場合、ＳＵ−ＭＩＭＯとＭＵ−ＭＩＭＯ区分なしにｃｏｍｐｏｓｉｔｅ  ｒａｎｋが３または４の場合、図１の１１０のような方式でＤＭＲＳ  ａｎｔｅｎｎａ  ｐｏｒｔの信号を区分する一方で、表３のＭＵ−ＭＩＭＯの場合、ｃｏｍｐｏｓｉｔｅ  ｒａｎｋが３または４の場合、追加的なｓｃｒａｍｂｌｉｎｇ  ｓｅｑｕｅｎｃｅを利用し、ＳＵ−ＭＩＭＯの場合にのみ、図１の１１０のような方式でＤＭＲＳ  ａｎｔｅｎｎａ  ｐｏｒｔの信号を区分することである。
【００７２】
表３を利用してｅＮＢがＤＭＲＳ  ａｎｔｅｎｎａ  ｐｏｒｔ割り当てｉｎｄｅｘを決定する方法は、表１に対して図示した図３の場合と同一である。また、ＵＥがＤＭＲＳ  ａｎｔｅｎｎａ  ｐｏｒｔ割り当てｉｎｄｅｘを受信し、これを解釈する方法も、表１に対して図示した図４の場合と同一である。
【００７３】
【表３Ａ】
0005993063.tif 000006
【表３Ｂ】
0005993063.tif 000007
【００７４】
＜ＵＥ当たり最大８個のｌａｙｅｒを割り当てるＳＵ−ＭＩＭＯ及び最大ｃｏｍｐｏｓｉｔｅ  ｒａｎｋ  ４であり、ＵＥ当たり最大２個のｌａｙｅｒを割り当てるＭＵ−ＭＩＭＯ（最大４個のｃｏ−ｓｃｈｅｄｕｌｅｄ  ＵＥ）伝送方式でＤＭＲＳ  ａｎｔｅｎｎａ  ｐｏｒｔ及び干渉通知方法２＞
【００７５】
表３の場合、ＭＵ−ＭＩＭＯ伝送でｃｏｍｐｏｓｉｔｅ  ｒａｎｋ  ３、４を伝送する場合、ｒａｎｋ  ２  ＤＭＲＳ  ｐａｔｔｅｒｎにｓｃｒａｍｂｌｉｎｇ  ｓｅｑｕｅｎｃｅを追加的に利用して４個のＤＭＲＳ  ａｎｔｅｎｎａ  ｐｏｒｔに対する信号を区別する場合に該当する。このような場合、４個のＤＭＲＳ  ａｎｔｅｎｎａ  ｐｏｒｔに対する信号を区別するまた１つの方法は、ｒａｎｋ  ２  ＤＭＲＳ  ｐａｔｔｅｒｎに該当する周波数及び時間資源に長さ４の直交コードを利用することである。すなわち、ＭＵ−ＭＩＭＯ伝送でｃｏｍｐｏｓｉｔｅ  ｒａｎｋ３、４を伝送する場合、ｒａｎｋ  ２  ＤＭＲＳ  ｐａｔｔｅｒｎに長さ４の直交コードをＤＭＲＳ  ａｎｔｅｎｎａ  ｐｏｒｔにそれぞれ１個ずつ割り当てて、ＤＭＲＳを伝送することである。このような場合も、表１及び表３のように定義されることができる。
【００７６】
表３を利用してＤＭＲＳ  ａｎｔｅｎｎａ  ｐｏｒｔを割り当てる場合、全体４ビットの情報量が必要である。これは、表３の各列が有するｉｎｄｅｘの種類が最大１０であるからである。すなわち、表３を利用する場合、図２の２３０に４ビットのＤＭＲＳ  ａｎｔｅｎｎａ  ｐｏｒｔ割り当て及び干渉関連情報が搭載されて伝送される。
【００７７】
表１、２、３の場合、ｅＮＢがＵＥにＳＵ−ＭＩＭＯであるか、またはＭＵ−ＭＩＭＯであるかをＤＭＲＳ  ａｎｔｅｎｎａ  ｐｏｒｔ割り当てとともに通知する場合に該当する。本発明は、上記のような方法以外にＬＴＥ−Ａで効果的にＤＭＲＳ  ａｎｔｅｎｎａ  ｐｏｒｔ割り当て及び干渉通知をしながらｅＮＢがＳＵ−ＭＩＭＯまたはＭＵ−ＭＩＭＯのうちどんな伝送を行うかを、別途の情報をもって通知する方法も提示する。
【００７８】
図６は、本発明によってｅＮＢの伝送がＳＵ−ＭＩＭＯまたはＭＵ−ＭＩＭＯ伝送であるかを区別する別途の１ビット制御情報“ＳＵ／ＭＵ−ＭＩＭＯ  Ｉｎｄｉｃａｔｏｒ”とこれと連関されて伝送されるＤＭＲＳ  ａｎｔｅｎｎａ  ｐｏｒｔ割り当て用制御情報を図示したものである。
【００７９】
本発明によってＳＵ／ＭＵ−ＭＩＭＯ  Ｉｎｄｉｃａｔｏｒを利用する場合、ｅＮＢは、自分の伝送がＳＵ−ＭＩＭＯ伝送の場合、ｓｃｈｅｄｕｌｅｄされたＵＥにＳＵ／ＭＵ−ＭＩＭＯ  Ｉｎｄｉｃａｔｏｒの値を“０”にして通知する。また、ｅＮＢは、自分の伝送がＭＵ−ＭＩＭＯ伝送の場合、ｃｏｓｃｈｅｄｕｌｅｄされたＵＥにＳＵ／ＭＵ−ＭＩＭＯ  Ｉｎｄｉｃａｔｏｒの値を“１”にして通知する。本発明によってＳＵ／ＭＵ−ＭＩＭＯ  Ｉｎｄｉｃａｔｏｒを利用し、ＳＵ／ＭＵ−ＭＩＭＯ  Ｉｎｄｉｃａｔｏｒの値が“０”、すなわちＳＵ−ＭＩＭＯを示してｅＮＢが伝送するｌａｙｅｒの個数が１の場合、常にｔｒａｎｓｐｏｒｔ  ｂｌｏｃｋ  ０だけが伝送される。これは、ＳＵ−ＭＩＭＯであり、ｅＮＢが伝送するｌａｙｅｒの個数が１の場合、１個のｔｒａｎｓｐｏｒｔ  ｂｌｏｃｋだけが伝送されることができ、ＤＭＲＳ  ａｎｔｅｎｎａ  ｐｏｒｔ割り当てのための制御情報の情報量を低減するために、本発明によって常に固定されたｔｒａｎｓｐｏｒｔ  ｂｌｏｃｋが伝送されるからである。また、ＳＵ−ＭＩＭＯであり、ｅＮＢが伝送するｌａｙｅｒの個数が２、３、４、５、６、７、８のうち１つである場合、２個のｔｒａｎｓｐｏｒｔ  ｂｌｏｃｋだけが伝送されることができ、ＤＭＲＳ  ａｎｔｅｎｎａ  ｐｏｒｔ割り当てのための制御情報の情報量を低減するために、本発明によって常に固定されたｔｒａｎｓｐｏｒｔ  ｂｌｏｃｋ  ０が伝送されるからである。
【００８０】
本発明によってＳＵ／ＭＵ−ＭＩＭＯ  Ｉｎｄｉｃａｔｏｒを利用する場合において、ｅＮＢとＵＥがＤＭＲＳ  ａｎｔｅｎｎａ  ｐｏｒｔ割り当て及び干渉に関する情報を伝送し受信するために、ＳＵ／ＭＵ−ＭＩＭＯ  Ｉｎｄｉｃａｔｏｒの値によって２個の表を利用するようになる。
【００８１】
表４は、ＳＵ／ＭＵ−ＭＩＭＯ  Ｉｎｄｉｃａｔｏｒを利用してｅＮＢの伝送がＳＵ−ＭＩＭＯの場合、本発明によってＵＥに割り当てられるＤＭＲＳ  ａｎｔｅｎｎａ  ｐｏｒｔ情報を通知するのに利用されるｉｎｄｅｘと各ｉｎｄｅｘが意味することを整理したものである。表４の場合、２個の列で構成され、表１、２、３と比べてｔｒａｎｓｐｏｒｔ  ｂｌｏｃｋ  ０が伝送されず、ｔｒａｎｓｐｏｒｔ  ｂｌｏｃｋ  １が伝送される場合に該当する列がないことが分かる。表４の場合、ＳＵ−ＭＩＭＯに対するＤＭＲＳ  ａｎｔｅｎｎａ  ｐｏｒｔ割り当て情報だけを含んでいて、ＭＵ−ＭＩＭＯ伝送ではないので、干渉と関連した情報は、含んでいない。
【００８２】
表５は、ＳＵ／ＭＵ−ＭＩＭＯ  Ｉｎｄｉｃａｔｏｒを利用してｅＮＢの伝送がＭＵ−ＭＩＭＯの場合、本発明によってＵＥに割り当てられるＤＭＲＳ  ａｎｔｅｎｎａ  ｐｏｒｔ情報を通知するのに利用されるｉｎｄｅｘと各ｉｎｄｅｘが意味することを整理したものである。表５の場合、各ｉｎｄｅｘ別にＤＭＲＳ  ａｎｔｅｎｎａ  ｐｏｒｔ割り当てのための情報以外に干渉信号に関する情報をも含まれている。
【００８３】
表４及び表５は、前記〈システム特性１〉に合わせて考案された。
【００８４】
【表４】
0005993063.tif 000008
【００８５】
＜ＳＵ／ＭＵ−ＭＩＭＯ  ｉｎｄｉｃａｔｏｒを利用する場合、ＤＭＲＳ  ａｎｔｅｎｎａ  ｐｏｒｔ及び干渉通知方法（ＳＵ−ＭＩＭＯ用）＞
【００８６】
【表５】
0005993063.tif 000009
【００８７】
＜ＳＵ／ＭＵ−ＭＩＭＯ  Ｉｎｄｉｃａｔｏｒを利用する場合、ＤＭＲＳ  ａｎｔｅｎｎａ  ｐｏｒｔ及び干渉通知方法（ＭＵ−ＭＩＭＯ用）＞
【００８８】
表４を利用してＤＭＲＳ  ａｎｔｅｎｎａ  ｐｏｒｔを割り当てる場合、全体４ビットの情報量が必要である。これは、表４の各列が有するｉｎｄｅｘの種類が最大５であるからであり、ＳＵ／ＭＵ−ＭＩＭＯ  Ｉｎｄｉｃａｔｏｒを伝送するために１ビットが必要であるからである。すなわち、表４を利用する場合、図６の６３０に１ビットのＳＵ／ＭＵ−ＭＩＭＯ  Ｉｎｄｉｃａｔｏｒと３ビットのＤＭＲＳ  ａｎｔｅｎｎａ  ｐｏｒｔ割り当て及び干渉関連情報が搭載されて伝送される。
【００８９】
図７は、本発明によってＳＵ／ＭＵ−ＭＩＭＯ  Ｉｎｄｉｃａｔｏｒを利用する場合、ｅＮＢがＵＥにＤＭＲＳ  ａｎｔｅｎｎａ  ｐｏｒｔを割り当てると同時に、同じ周波数及び時間区間で干渉を発生させる可能性がある他のＵＥに対する伝送がどのＤＭＲＳ  ａｎｔｅｎｎａ  ｐｏｒｔを利用して行われるかをｅＮＢが通知する方法を図示したものである。
【００９０】
図７の過程７０５で、ｅＮＢは、特定時間及び周波数資源に対するｓｃｈｅｄｕｌｉｎｇを行う。ここで、ｓｃｈｅｄｕｌｉｎｇというのは、特定時間及び周波数資源をどんなＵＥまたはＵＥに割り当てるかを決定し、各ＵＥにどんなデータ伝送速度で伝送を行うかを判断する過程を意味する。図７の過程７０５でｓｃｈｅｄｕｌｉｎｇが行われ、ｅＮＢは、ｃｏｓｃｈｅｄｕｌｅされるＵＥの個数をＮに設定する。
【００９１】
過程７１０で、ｅＮＢは、ｓｃｈｅｄｕｌｉｎｇによって決定された伝送方式がＳＵ−ＭＩＭＯ伝送であるか、それともＭＵ−ＭＩＭＯ伝送であるかを決定する。過程７０５で決定されたＮの値が１の場合、ＳＵ−ＭＩＭＯに該当し、Ｎの値が１より大きい場合、ＭＵ−ＭＩＭＯに該当する。過程７１０で、Ｎの値が１の場合（ＳＵ−ＭＩＭＯ）、ｅＮＢは、過程７１５で、ＳＵ／ＭＵ−ＭＩＭＯ  Ｉｎｄｉｃａｔｏｒの値を“０”に設定する。過程７１５で、ＳＵ／ＭＵ−ＭＩＭＯ  Ｉｎｄｉｃａｔｏｒの値が設定された後、ｅＮＢは、ＳＵ−ＭＩＭＯに伝送されるｔｒａｎｓｐｏｒｔ  ｂｌｏｃｋが１個の場合、ｅＮＢは、過程７２５のようにｓｃｈｅｄｕｌｅされるＵＥに割り当てるＤＭＲＳ  ａｎｔｅｎｎａ  ｐｏｒｔを通知するためのｉｎｄｅｘを表４の１番目の列から選択する。ＳＵ−ＭＩＭＯで伝送されるｔｒａｎｓｐｏｒｔ  ｂｌｏｃｋが２個の場合、ｅＮＢは、過程７３０のように、ｓｃｈｅｄｕｌｅされるＵＥに割り当てるＤＭＲＳ  ａｎｔｅｎｎａ  ｐｏｒｔを通知するためのｉｎｄｅｘを表４の２番目の列から選択する。ｅＮＢは、過程７２５または過程７３０で、ＵＥにＤＭＲＳ  ａｎｔｅｎｎａ  ｐｏｒｔ割り当てを通知するためのｉｎｄｅｘを決定した後、この情報とＳＵ／ＭＵ−ＭＩＭＯ  Ｉｎｄｉｃａｔｏｒを他の制御情報とともにＰＤＣＣＨで伝送する。過程７３５で、ｅＮＢの伝送方式は、ＳＵ−ＭＩＭＯなので、ＳＵ／ＭＵ−ＭＩＭＯ  Ｉｎｄｉｃａｔｏｒの値は、“０”になる。
【００９２】
図７の過程７１０で、Ｎの値が１より大きい場合（ＭＵ−ＭＩＭＯ）、ｅＮＢは、過程７４０で、ＳＵ／ＭＵ−ＭＩＭＯ  Ｉｎｄｉｃａｔｏｒの値を“１”に設定する。過程７４０で、ＳＵ／ＭＵ−ＭＩＭＯ  Ｉｎｄｉｃａｔｏｒの値が設定された後、ｅＮＢの動作過程は、図３の過程３２０以後と同一であり、これに関する説明は省略する。図３の過程３２０以後と１つの差異点は、図７の過程７８０で、各ＵＥに伝送されるＰＤＣＣＨにＳＵ／ＭＵ−ＭＩＭＯ  Ｉｎｄｉｃａｔｏｒが“１”に設定されて伝送されるという点である。図３の過程３９０の場合、ＳＵ／ＭＵ−ＭＩＭＯ  Ｉｎｄｉｃａｔｏｒを利用しないので、この値を伝送しなかった。
【００９３】
図８は、本発明によってＳＵ／ＭＵ−ＭＩＭＯ  Ｉｎｄｉｃａｔｏｒを利用する場合、ｅＮＢが伝送したＤＭＲＳ  ａｎｔｅｎｎａ  ｐｏｒｔ割り当てｉｎｄｅｘをＵＥが受信し、どんなＤＭＲＳ  ａｎｔｅｎｎａ  ｐｏｒｔが自分に割り当てられたかを判断すると同時に、同じ周波数及び時間区間で自分の受信信号に干渉を発生させる可能性がある他のＵＥに対する伝送がどのＤＭＲＳ  ａｎｔｅｎｎａ  ｐｏｒｔを利用して行われるかをＵＥが判断する方法を図示したものである。
【００９４】
図８の過程８０５で、ＵＥは、ＰＤＣＣＨ  ｂｌｉｎｄ  ｄｅｃｏｄｉｎｇを行う。過程８０５のｂｌｉｎｄ  ｄｅｃｏｄｉｎｇは、ＵＥが自分のためのＰＤＣＣＨ伝送が正確にどの時間及び周波数区間で行われるかを知らないので、多数の候補時間及び周波数区間で伝送が行なわれたという仮定の下でｄｅｃｏｄｉｎｇを行い、ＣＲＣで正しいｄｅｃｏｄｉｎｇが行われた場合にのみ、当該ｄｅｃｏｄｉｎｇされた制御情報を利用するもので、ＬＴＥ及びＬＴＥ−Ａシステムで利用される。
【００９５】
図８の過程８０５で、ＵＥがｂｌｉｎｄ  ｄｅｃｏｄｉｎｇを行い、過程８１０で、自分のためのｄｏｗｎｌｉｎｋ  ｓｃｈｅｄｕｌｉｎｇ用ＰＤＣＣＨが受信されたかを判断する。過程８１０で、自分のためのｄｏｗｎｌｉｎｋ  ｓｃｈｅｄｕｌｉｎｇ用ＰＤＣＣＨが受信されなかったと判断される場合、ＵＥは、過程８０５に戻り、ＰＤＣＣＨ  ｂｌｉｎｄ  ｄｅｃｏｄｉｎｇをさらに行う。ＵＥが過程８１０で自分のためのｄｏｗｎｌｉｎｋ  ｓｃｈｅｄｕｌｉｎｇ用ＰＤＣＣＨが受信されたと判断する場合、ＵＥは、過程８１５のように、ＰＤＣＣＨに搭載されたｄｏｗｎｌｉｎｋ  ｃｏｎｔｒｏｌ  ｉｎｆｏｒｍａｔｉｏｎ（ＤＣＩ）を確認する。Ｄｏｗｎｌｉｎｋ  ｃｏｎｔｒｏｌ  ｉｎｆｏｒｍａｔｉｏｎは、図６のように、ｔｒａｎｓｐｏｒｔ  ｂｌｏｃｋ  ０、ｔｒａｎｓｐｏｒｔ  ｂｌｏｃｋ  １に対する制御情報、ＳＵ／ＭＵ−ＭＩＭＯ  Ｉｎｄｉｃａｔｏｒ、ＤＭＲＳ  ａｎｔｅｎｎａ  ｐｏｒｔ割り当て制御情報、その他の制御情報より構成される。
【００９６】
ＵＥは、過程８２０で、ＰＤＣＣＨに搭載された制御情報のうちＳＵ／ＭＵ−ＭＩＭＯ  Ｉｎｄｉｃａｔｏｒが“０”に設定されたか、それとも“１”に設定されたかを確認する。ＳＵ／ＭＵ−ＭＩＭＯ  Ｉｎｄｉｃａｔｏｒが“０”の場合、ＳＵ−ＭＩＭＯに該当し、ＵＥは、過程８２５で、ｅＮＢがｔｒａｎｓｐｏｒｔ  ｂｌｏｃｋ  ０だけを伝送したか、それともｔｒａｎｓｐｏｒｔ  ｂｌｏｃｋ  ０とｔｒａｎｓｐｏｒｔ  ｂｌｏｃｋ  １を共に伝送したかを判断する。過程８２５で、ＵＥがｔｒａｎｓｐｏｒｔ  ｂｌｏｃｋ  ０だけをｅＮＢから受信したものと判断する場合、ＵＥは、過程８３０で、図６のＤＭＲＳ  ａｎｔｅｎｎａ  ｐｏｒｔ割り当て制御情報６４０が示すｉｎｄｅｘに該当する表４の１番目の列のｍｅｓｓａｇｅを通じて割り当てられたＤＭＲＳ  ａｎｔｅｎｎａ  ｐｏｒｔに関する情報を確認する。過程８３０で得たＤＭＲＳ  ａｎｔｅｎｎａ  ｐｏｒｔに関する情報は、過程８３５でチャネル推定を行うのに利用される。過程８３５で、ＵＥは割り当てられたＤＭＲＳ  ａｎｔｅｎｎａ  ｐｏｒｔを利用して自分で伝送された１個のｌａｙｅｒに対するチャネル推定を行い、過程８４０で、ＳＵ−ＭＩＭＯ受信方法で受信信号を処理する。過程８４０で、ＳＵ−ＭＩＭＯ受信方法を利用することは、前述したＳＵ／ＭＵ−ＭＩＭＯ  Ｉｎｄｉｃａｔｏｒが“０”の値を有するからである。ＵＥが過程８２５でｔｒａｎｓｐｏｒｔ  ｂｌｏｃｋ  ０とｔｒａｎｓｐｏｒｔ  ｂｌｏｃｋ  １を共に伝送したと判断する場合、過程８４５で、図６のＤＭＲＳ  ａｎｔｅｎｎａ  ｐｏｒｔ割り当て制御情報６４０が示すｉｎｄｅｘに該当する表４の２番目の列のｍｅｓｓａｇｅを通じて割り当てられたＤＭＲＳ  ａｎｔｅｎｎａ  ｐｏｒｔに関する情報を確認する。過程８４５で得たＤＭＲＳ  ａｎｔｅｎｎａ  ｐｏｒｔに関する情報は、過程８５０でチャネル推定を行うのに利用される。過程８５０で、ＵＥは、割り当てられたＤＭＲＳ  ａｎｔｅｎｎａ  ｐｏｒｔを利用して自分で伝送された複数個のｌａｙｅｒに対するチャネル推定を行い、過程８５０で、ＳＵ−ＭＩＭＯ受信方法で受信信号を処理する。この場合も、前述したように、ＳＵ／ＭＵ−ＭＩＭＯ  Ｉｎｄｉｃａｔｏｒが“０”の値を有するからである。
【００９７】
前記過程８２０で、ＰＤＣＣＨに搭載された制御情報のうちＳＵ／ＭＵ−ＭＩＭＯ  Ｉｎｄｉｃａｔｏｒが“１”に設定された場合、ＵＥは、過程８５５で、ｅＮＢが自分にｔｒａｎｓｐｏｒｔ  ｂｌｏｃｋ  ０だけを伝送したか、ｅＮＢが自分にｔｒａｎｓｐｏｒｔ  ｂｌｏｃｋ  １だけを伝送したか、それとも、ｅＮＢが自分にｔｒａｎｓｐｏｒｔ  ｂｌｏｃｋ  ０とｔｒａｎｓｐｏｒｔ  ｂｌｏｃｋ  １を共に伝送したかを判断する。ＵＥが過程８５５でｔｒａｎｓｐｏｒｔ  ｂｌｏｃｋ  ０だけを自分で伝送されたと判断する場合、過程８６０で、図６のＤＭＲＳ  ａｎｔｅｎｎａ  ｐｏｒｔ割り当て制御情報６４０が示すｉｎｄｅｘに該当する表５の１番目の列のｍｅｓｓａｇｅを通じて割り当てられたＤＭＲＳ  ａｎｔｅｎｎａ  ｐｏｒｔ及び干渉に関する情報を確認する。ＵＥは、過程８６０で得た割り当てられたＤＭＲＳ  ａｎｔｅｎｎａ  ｐｏｒｔ情報を利用して過程８６５で割り当てられたＤＭＲＳ  ａｎｔｅｎｎａ  ｐｏｒｔを利用して１個のｌａｙｅｒに対するチャネル推定を行う。次いで、過程８７０で、ＵＥは、受信した信号がＭＵ−ＭＩＭＯ伝送の一部という判断の下に、他のＤＭＲＳ  ａｎｔｅｎｎａ  ｐｏｒｔに搭載された信号を検出し、これを自分の受信信号の性能を改善させるのに活用する。
【００９８】
ＵＥが前記過程８５５でｔｒａｎｓｐｏｒｔ  ｂｌｏｃｋ  １だけを自分で伝送されたと判断する場合、過程８６０で、図６のＤＭＲＳ  ａｎｔｅｎｎａ  ｐｏｒｔ割り当て制御情報６４０が示すｉｎｄｅｘに該当する表５の２番目の列のｍｅｓｓａｇｅを通じて割り当てられたＤＭＲＳ  ａｎｔｅｎｎａ  ｐｏｒｔ及び干渉に関する情報を確認する。ＵＥは、過程８７５で得た割り当てられたＤＭＲＳ  ａｎｔｅｎｎａ  ｐｏｒｔ情報を利用して過程８６５で割り当てられたＤＭＲＳ  ａｎｔｅｎｎａ  ｐｏｒｔを利用して１個のｌａｙｅｒに対するチャネル推定を行う。次いで、過程８７０で、ＵＥは、受信した信号がＭＵ−ＭＩＭＯ伝送の一部という判断の下に、他のＤＭＲＳ  ａｎｔｅｎｎａ  ｐｏｒｔに搭載された信号を検出し、これを自分の受信信号の性能を改善させるのに活用する。
【００９９】
ＵＥが過程前記８５５でｔｒａｎｓｐｏｒｔ  ｂｌｏｃｋ  ０とｔｒａｎｓｐｏｒｔ  ｂｌｏｃｋ  １を共に自分で伝送されたと判断する場合、過程８６０で、図６のＤＭＲＳ  ａｎｔｅｎｎａ  ｐｏｒｔ割り当て制御情報６４０が示すｉｎｄｅｘに該当する表５の３番目の列のｍｅｓｓａｇｅを通じて割り当てられたＤＭＲＳ  ａｎｔｅｎｎａ  ｐｏｒｔ及び干渉に関する情報を確認する。ＵＥは、過程８８０で得た割り当てられたＤＭＲＳ  ａｎｔｅｎｎａ  ｐｏｒｔ情報を利用して過程８８５で割り当てられたＤＭＲＳ  ａｎｔｅｎｎａ  ｐｏｒｔを利用して複数個のｌａｙｅｒに対するチャネル推定を行う。次いで、過程８７０で、ＵＥは、受信した信号がＭＵ−ＭＩＭＯ伝送の一部という判断の下に、他のＤＭＲＳ  ａｎｔｅｎｎａ  ｐｏｒｔに搭載された信号を検出し、これを自分の受信信号の性能を改善させるのに活用する。
【０１００】
図８の過程８４０または過程８７０で受信動作を完了したＵＥは、過程８０５で、ＰＤＣＣＨｂｌｉｎｄ  ｄｅｃｏｄｉｎｇを再開する。
【０１０１】
前述した表１、２、３、４、５の場合、ｅＮＢがｓｃｈｅｄｕｌｉｎｇされたＵＥに割り当てられたＤＭＲＳ  ａｎｔｅｎｎａ  ｐｏｒｔに関する情報だけでなく、当該伝送がＳＵ−ＭＩＭＯ伝送であるか、それともＭＵ−ＭＩＭＯ伝送認知とＭＵ−ＭＩＭＯ伝送である場合、干渉を発生させる可能性がある他のＵＥに割り当てられたＤＭＲＳ  ａｎｔｅｎｎａ  ｐｏｒｔに関する情報をも通知する。このように他のＵＥに割り当てられたＤＭＲＳ  ａｎｔｅｎｎａ  ｐｏｒｔをｓｃｈｅｄｕｌｉｎｇされたＵＥに通知することは、当該ＵＥにより正確な干渉測定が可能にして、結果的に受信性能を改善させることができるが追加的な情報が伝送されなければならないという短所がある。
【０１０２】
これにより、本発明は、ｔｒａｎｓｐｏｒｔ  ｂｌｏｃｋ  ０とｔｒａｎｓｐｏｒｔ  ｂｌｏｃｋ  １が１個のＵＥに割り当てられたか否かによってＤＭＲＳ  ａｎｔｅｎｎａ  ｐｏｒｔを割り当てる方法で、干渉に関する情報を提供しない方法も提供する。このような方法は、干渉に関する情報を提供しないことによって、ＤＭＲＳ  ａｎｔｅｎｎａ  ｐｏｒｔ割り当てのための制御情報量を低減する効果がある。
【０１０３】
表６は、本発明によってＵＥに割り当てられるＤＭＲＳ  ａｎｔｅｎｎａ  ｐｏｒｔ情報を通知するのに利用されるｉｎｄｅｘと各ｉｎｄｅｘが意味することを整理したものである。表６は、表１、２、３、４、５の場合と異なって、ｅＮＢがＵＥに割り当てられたＤＭＲＳ  ａｎｔｅｎｎａ  ｐｏｒｔに関する情報だけを通知することができるように作成された。したがって、表６を利用する場合、ｅＮＢは、ＭＵ−ＭＩＭＯ伝送を行っても、干渉に対する別途情報をＵＥに提供することができない。
【０１０４】
表６は、前記〈システム特性１〉に合わせて考案され、ｃｏｍｐｏｓｉｔｅ  ｒａｎｋが３または４の場合、ｒａｎｋ  ４  ＤＭＲＳ  ｐａｔｔｅｒｎを利用するという仮定の下に作成された。
【０１０５】
表６を利用してｅＮＢがＵＥに割り当てられたＤＭＲＳを通知する方法は、前記図３と同様なので、詳細な説明は省略する。図３の方法と表６を利用する場合の差異点としては、ｅＮＢがＵＥに通知するとき、干渉に対する別途の考慮がないということである。
【０１０６】
表６で各列が有するｉｎｄｅｘの種類が最大９である。表１の場合、各列が有するｉｎｄｅｘの種類が最大１０であった。表６で、各列が有するｉｎｄｅｘの種類が減少したことは、干渉に関する情報を伝送する必要がなくなり、伝送する情報量が低減したことを意味する。
【０１０７】
【表６】
0005993063.tif 000010
【０１０８】
＜ＵＥ当たり最大８個のｌａｙｅｒを割り当てるＳＵ−ＭＩＭＯ及び最大ｃｏｍｐｏｓｉｔｅ  ｒａｎｋ  ４であり、ＵＥ当たり最大２個のｌａｙｅｒを割り当てるＭＵ−ＭＩＭＯ（最大４個のｃｏ−ｓｃｈｅｄｕｌｅｄ  ＵＥ）伝送方式でＤＭＲＳ  ａｎｔｅｎｎａ  ｐｏｒｔ通知方法１＞
【０１０９】
以下の表７は、本発明の他の実施例によってＵＥに割り当てられるＤＭＲＳ  ａｎｔｅｎｎａ  ｐｏｒｔ情報を通知するのに利用されるｉｎｄｅｘと各ｉｎｄｅｘが意味することを整理したものである。表７は、表１、２、３、４、５の場合と異なって、ｅＮＢがＵＥに割り当てられたＤＭＲＳ  ａｎｔｅｎｎａ  ｐｏｒｔに関する情報だけを通知するように作成された。したがって、表７を利用する場合、ｅＮＢは、ＭＵ−ＭＩＭＯ伝送を行っても、干渉に対する別途情報をＵＥに提供することができない。
【０１１０】
表７は、前記〈システム情報１〉に合わせて考案され、ｃｏｍｐｏｓｉｔｅ  ｒａｎｋが３または４の場合、ｒａｎｋ  ２  ＤＭＲＳ  ｐａｔｔｅｒｎと２個のｓｃｒａｍｂｌｉｎｇ  ｓｅｑｕｅｎｃｅを利用するという仮定の下に作成された。これは、表３の場合と同様である。
【０１１１】
表７を利用してｅＮＢがＵＥに割り当てられたＤＭＲＳを通知する方法は、図３と類似しているので、詳細な説明は省略する。図３の方法と表７を利用する場合の差異点としては、ｅＮＢがＵＥに通知するとき、干渉に対する別途の考慮がないということである。
【０１１２】
表７で各列が有するｉｎｄｅｘの種類が最大８である。表１の場合、各列が有するｉｎｄｅｘの種類が最大１０であった。表７で、各列が有するｉｎｄｅｘの種類が減少したことは、干渉に関する情報を伝送する必要がなくなり、伝送する情報量が減少したことを意味する。これをビット数に換算する場合、表１の場合、ＤＭＲＳ  ａｎｔｅｎｎａ  ｐｏｒｔ割り当て情報及び干渉関連情報をＵＥに通知するのに４ビットが必要であるが、表７を利用する場合、ｅＮＢがＤＭＲＳ  ａｎｔｅｎｎａ  ｐｏｒｔ割り当て情報をＵＥに通知するのに３ビットだけが必要となる。
【０１１３】
【表７】
0005993063.tif 000011
【０１１４】
＜ＵＥ当たり最大８個のｌａｙｅｒを割り当てるＳＵ−ＭＩＭＯ及び最大ｃｏｍｐｏｓｉｔｅ  ｒａｎｋ  ４であり、ＵＥ当たり最大２個のｌａｙｅｒを割り当てるＭＵ−ＭＩＭＯ（最大４個のｃｏ−ｓｃｈｅｄｕｌｅｄ  ＵＥ）伝送方式でＤＭＲＳ  ａｎｔｅｎｎａ  ｐｏｒｔ通知方法２＞
【０１１５】
表１ないし表７の場合、ｅＮＢが自動複合再伝送（ＨＡＲＱ）を行うにあたって、初期伝送に対するＤＭＲＳ  ａｎｔｅｎｎａ  ｐｏｒｔ割り当てを行う場合にのみ適用される。
【０１１６】
一方、自動複合再伝送を行うにあたって再伝送が行われる場合、表１ないし表７で指定可能なＤＭＲＳ  ａｎｔｅｎｎａ  ｐｏｒｔ割り当て以外の場合に対する通知を行わなければならない。
【０１１７】
自動複合再伝送が適用される場合、再伝送が初期伝送と異なる点は、次の通りである。初期伝送の場合、１個のｔｒａｎｓｐｏｒｔ  ｂｌｏｃｋが伝送されれば、１個のｌａｙｅｒで伝送が行われる。再伝送の場合、１個のｔｒａｎｓｐｏｒｔ  ｂｌｏｃｋが伝送されても、ｅＮＢの判断によって複数個のｌａｙｅｒに伝送されることができる。このように再伝送の場合に対するＤＭ−ＲＳ  ａｎｔｅｎｎａ  ｐｏｒｔ割り当てを端末に通知するために、本発明は、２個の方法を提案する。１番目の方法は、ＤＭ−ＲＳ  ａｎｔｅｎｎａ  ｐｏｒｔを割り当てるために利用する表１、２、３、４、５、６、７で使用されないｉｎｄｅｘに対して追加的な割り当て情報を定義することである。
【０１１８】
表８は、表７と同様に、前記〈システム情報１〉に合わせて考案され、ｃｏｍｐｏｓｉｔｅ  ｒａｎｋが３または４の場合、ｒａｎｋ  ２  ＤＭＲＳ  ｐａｔｔｅｒｎと２個のｓｃｒａｍｂｌｉｎｇ  ｓｅｑｕｅｎｃｅを利用するという仮定の下に作成された。表８は、表１、２、３、４、５の場合と異なって、ｅＮＢがＵＥに割り当てられたＤＭＲＳ  ａｎｔｅｎｎａ  ｐｏｒｔに関する情報だけを通知するように作成された。したがって、表８を利用する場合、ｅＮＢは、ＭＵ−ＭＩＭＯ伝送を行っても、干渉に対する別途情報をＵＥに提供することができない。
【０１１９】
表８は、表７と比較するとき、次のような差異点を有する。
【０１２０】
１．ＵＥにＴｒａｎｓｐｏｒｔ  ｂｌｏｃｋ  ０またはｔｒａｎｓｐｏｒｔ  ｂｌｏｃｋ  １のうち１つだけが伝送されても、４種のＤＭＲＳ  ａｎｔｅｎｎａ  ｐｏｒｔ及びｓｃｒａｍｂｌｉｎｇ  ｃｏｄｅの組合のうち自由に割り当てることができる。すなわち、１個のｔｒａｎｓｐｏｒｔ  ｂｌｏｃｋをＵＥに伝送する場合、ＤＭ−ＲＳ  ａｎｔｅｎｎａ  ｐｏｒｔ０とｓｃｒａｍｂｌｉｎｇ  ｓｅｑｕｅｎｃｅ  ０、ＤＭ−ＲＳ  ａｎｔｅｎｎａ  ｐｏｒｔ１とｓｃｒａｍｂｌｉｎｇ  ｓｅｑｕｅｎｃｅ  ０、ＤＭ−ＲＳ  ａｎｔｅｎｎａ  ｐｏｒｔ１とｓｃｒａｍｂｌｉｎｇ  ｓｅｑｕｅｎｃｅ  ０、ＤＭ−ＲＳ  ａｎｔｅｎｎａ  ｐｏｒｔ１とｓｃｒａｍｂｌｉｎｇ  ｓｅｑｕｅｎｃｅ  １のうち１つを自由に割り当てることができる。表８の１番目及び２番目の列のｉｎｄｅｘ  ０、１、２、３がこれに該当する。
【０１２１】
２．再伝送の場合にのみ適用されることができる追加的なＤＭ−ＲＳ  ａｎｔｅｎｎａ  ｐｏｒｔ割り当てのためのｉｎｄｅｘが定義された。表８の１番目及び２番目の列のｉｎｄｅｘ４、５、６、７がこれに該当する。
【０１２２】
【表８】
0005993063.tif 000012
【０１２３】
＜ＵＥ当たり最大８個のｌａｙｅｒを割り当てるＳＵ−ＭＩＭＯ及び最大ｃｏｍｐｏｓｉｔｅ  ｒａｎｋ  ４であり、ＵＥ当たり最大２個のｌａｙｅｒを割り当てるＭＵ−ＭＩＭＯ（最大４個のｃｏ−ｓｃｈｅｄｕｌｅｄ  ＵＥ）伝送方式でＤＭＲＳ  ａｎｔｅｎｎａ  ｐｏｒｔ通知方法３＞
【０１２４】
表８で各列が有するｉｎｄｅｘの種類が最大８である。表１の場合、各列が有するｉｎｄｅｘの種類が最大１０であった。表８で、各列は、割り当てられるｔｒａｎｓｐｏｒｔ  ｂｌｏｃｋの個数と関係なく、８個のｉｎｄｅｘを有する。したがって、表８を利用してＤＭＲＳ  ａｎｔｅｎｎａ  ｐｏｒｔを割り当てる場合、３ビットが必要になる。表８が表７と比べて自動複合再伝送で初期伝送及び再伝送に対するＤＭ−ＲＳ  ａｎｔｅｎｎａ  ｐｏｒｔ割り当てをすべて行うことができるが、必要なビット数は、表７と同様に、３である。
【０１２５】
表８で、１番目及び２番目の列のｉｎｄｅｘ４、５、６、７に該当するＤＭ−ＲＳ  ａｎｔｅｎｎａ  ｐｏｒｔ割り当て情報は、１個のｔｒａｎｓｐｏｒｔ  ｂｌｏｃｋが伝送され、当該ｔｒａｎｓｐｏｒｔ  ｂｌｏｃｋが再伝送の場合にのみ有効である。一方、表８で、１番目及び２番目の列のｉｎｄｅｘ  ４、５、６、７に該当するＤＭ−ＲＳ  ａｎｔｅｎｎａ  ｐｏｒｔ割り当て情報は、初期伝送及び再伝送で有効である。
【０１２６】
表８は、１番目の列と２番目の列が同一である。したがって、表８は、次の表９のように、表現可能である。表９の場合、表８の１番目の列と２番目の列が１つの列に統合されたが、結果的に同一の意味を有する。一方、下記の表９で示されるインデックスは、例示に過ぎないもので、すべてのインデックスが必須に使用されなければならないものではない。基地局と端末との間のチャネル状況、具現方法によって任意のインデックスは省略されて使用されることができることに留意しなければならない。
【０１２７】
【表９】
0005993063.tif 000013
【０１２８】
＜ＵＥ当たり最大８個のｌａｙｅｒを割り当てるＳＵ−ＭＩＭＯ及び最大ｃｏｍｐｏｓｉｔｅ  ｒａｎｋ  ４であり、ＵＥ当たり最大２個のｌａｙｅｒを割り当てるＭＵ−ＭＩＭＯ（最大４個のｃｏ−ｓｃｈｅｄｕｌｅｄ  ＵＥ）伝送方式でＤＭＲＳ  ａｎｔｅｎｎａ  ｐｏｒｔ通知方法３＞
【０１２９】
表９に示されたように、前記伝送ブロックの個数が１個である場合において、ランク（Ｒａｎｋ）は最大４であり、前記ランクが１または２の場合、スクランブリングシーケンス（ｓｃｒａｍｂｌｉｎｇ  ｓｅｑｕｅｎｃｅ）は、０または１であり、前記ランクが３以上の場合、前記スクランブリングシーケンスは０であることが分かる。同様に、伝送ブロックの個数が２個である場合、ランク（Ｒａｎｋ）は最大８であり、前記ランクが１または２の場合、スクランブリングシーケンス（ｓｃｒａｍｂｌｉｎｇ  ｓｅｑｕｅｎｃｅ）は０または１であり、前記ランクが３以上の場合、前記スクランブリングシーケンスは０であることが分かる。
【０１３０】
表９で、伝送ブロックの個数が１個であり、初期伝送の場合、前記ＤＭＲＳアンテナポート割り当て指示情報は、ランク１だけに対して解釈される。また、前記伝送ブロックの個数が１個であり、再伝送の場合、前記ＤＭＲＳアンテナポート割り当て指示情報をすべてのランクに対して解釈される。そして、前記伝送ブロックの個数が２個である場合、初期伝送または再伝送に対して前記ＤＭＲＳアンテナポート割り当て指示情報をすべてのランクに対して解釈される。
【０１３１】
図９は、表８を利用してｅＮＢがＤＭ−ＲＳ  ａｎｔｅｎｎａ  ｐｏｒｔを割り当てる方法を図示したものである。ｅＮＢの動作を要約すれば、端末に割り当てられた伝送ブロックの個数を確認する確認段階と、前記確認された伝送ブロックの個数によってＤＭＲＳ（ＤｅＭｏｄｕｌａｔｉｏｎ  Ｒｅｆｅｒｅｎｃｅ  Ｓｉｇｎａｌ）アンテナポート割り当て指示情報を選択する選択段階と、少なくとも１個以上の伝送ブロック（ｔｒａｎｓｐｏｒｔ  ｂｌｏｃｋ）に関する情報と、前記選択されたＤＭＲＳ（ＤｅＭｏｄｕｌａｔｉｏｎ  Ｒｅｆｅｒｅｎｃｅ  Ｓｉｇｎａｌ）アンテナポート割り当て指示情報を含む制御情報を生成する生成段階と、前記生成された制御情報を前記端末に伝送する伝送段階とを含むことを特徴とし、これに対して具体的に説明すれば、下記の通りである。
【０１３２】
図９の過程９００で、ｅＮＢは、特定ｓｕｂｆｒａｍｅのｓｃｈｅｄｕｌｉｎｇを行う。前記過程９００でｓｃｈｅｄｕｌｉｎｇされた端末に対して１個のｔｒａｎｓｐｏｒｔ  ｂｌｏｃｋを伝送するか、それとも２個のｔｒａｎｓｐｏｒｔ  ｂｌｏｃｋを割り当てるかによって表８でｉｎｄｅｘが異なって選択される。すなわち、端末に２個のｔｒａｎｓｐｏｒｔ  ｂｌｏｃｋに対する伝送を行う場合、ｅＮＢは、過程９５０のように、表８の３番目の列からＤＭ−ＲＳ  ａｎｔｅｎｎａ  ｐｏｒｔ割り当て情報に相当するｉｎｄｅｘを選択する。端末に２個のｔｒａｎｓｐｏｒｔ  ｂｌｏｃｋに対する伝送を行う場合、伝送されるｔｒａｎｓｐｏｒｔ  ｂｌｏｃｋが初めて伝送されるか、それとも再伝送されることかに関係なく、表８の３番目の列からＤＭ−ＲＳ  ａｎｔｅｎｎａ  ｐｏｒｔ割り当て情報に相当するｉｎｄｅｘを選択する。
【０１３３】
図９で、ｅＮＢがＵＥに１個のｔｒａｎｓｐｏｒｔ  ｂｌｏｃｋを伝送する場合、ｅＮＢは、当該ｔｒａｎｓｐｏｒｔ  ｂｌｏｃｋが初めて伝送されるか、それとも再伝送されるかによって表８でｉｎｄｅｘを異なって選択する。初期伝送の場合、ｅＮＢは、過程９４０のように、１番目及び２番目の列のｉｎｄｅｘ  ４、５、６、７を除いた１個のｉｎｄｅｘを選択し、ＤＭ−ＲＳ  ａｎｔｅｎｎａ  ｐｏｒｔ割り当て情報を決定する。一方、再伝送の場合、ｅＮＢは過程９３０のように、１番目及び２番目の列のｉｎｄｅｘのうち１個のｉｎｄｅｘを選択し、ＤＭ−ＲＳ  ａｎｔｅｎｎａ  ｐｏｒｔ割り当て情報を決定する。
【０１３４】
図１０は、表８を利用してｅＮＢがＤＭ−ＲＳ  ａｎｔｅｎｎａ  ｐｏｒｔを割り当てる場合、これを端末が解釈する方法を図示したものである。端末の動作手順を要約すれば、少なくとも１個以上の伝送ブロック（ｔｒａｎｓｐｏｒｔ  ｂｌｏｃｋ）に関する情報と、ＤＭＲＳ（ＤｅＭｏｄｕｌａｔｉｏｎ  Ｒｅｆｅｒｅｎｃｅ  Ｓｉｇｎａｌ）アンテナポート割り当て指示情報を含む制御情報を基地局から受信する受信段階と、前記制御情報を利用して前記端末に割り当てられた伝送ブロックの個数を確認する確認段階と、前記伝送ブロックの個数によって前記ＤＭＲＳアンテナポート割り当て指示情報を解釈する解釈段階とを含むことができ、これに対する具体的な過程は、下記の通りである。
【０１３５】
図１０の過程１０００で、ＰＤＣＣＨに対するｂｌｉｎｄ  ｄｅｃｏｄｉｎｇを行う。過程１０１０で、当該端末のためのＰＤＣＣＨが受信されたものと判断される場合、端末は、過程１０２０で、ＰＤＣＣＨに搭載されたＤＣＩを確認する。前記過程１０２０で、ＤＣＩを確認した結果、１個のｔｒａｎｓｐｏｒｔ  ｂｌｏｃｋが割り当てられたと判断される場合、端末は、過程１０４０で、当該伝送が初期伝送であるか、再伝送であるかを判断する。前記過程１０４０で、再伝送であると判断される場合、端末は、過程１０５０で、表８の１番目及び２番目の列のｉｎｄｅｘ及びこれに対応するＤＭ−ＲＳ  ａｎｔｅｎｎａ  ｐｏｒｔ割り当て情報を利用して自分に割り当てられたＤＭ−ＲＳ  ａｎｔｅｎｎａ  ｐｏｒｔを確認する。また、過程１０４０で、初期伝送であると判断される場合、端末は、過程１０６０で、表８の１番目及び２番目の列の４、５、６、７  ｉｎｄｅｘを除いたｉｎｄｅｘ及びこれに対応するＤＭ−ＲＳ  ａｎｔｅｎｎａ  ｐｏｒｔ割り当て情報を利用して自分に割り当てられたＤＭ−ＲＳ  ａｎｔｅｎｎａ  ｐｏｒｔを確認する。
【０１３６】
図１０の過程１０３０で、端末が２個のｔｒａｎｓｐｏｒｔ  ｂｌｏｃｋを割り当てられた場合、端末は、過程１０７０のように、表８の３番目の列のｉｎｄｅｘ及びこれに対応するＤＭ−ＲＳ  ａｎｔｅｎｎａ  ｐｏｒｔ割り当て情報を利用して自分に割り当てられたＤＭ−ＲＳ  ａｎｔｅｎｎａ  ｐｏｒｔを確認する。２個のｔｒａｎｓｐｏｒｔ  ｂｌｏｃｋを割り当てられた場合、再伝送可否を判断する必要なく、どんなＤＭ−ＲＳ  ａｎｔｅｎｎａ  ｐｏｒｔが割り当てられたかを判断可能である。
【０１３７】
図９及び図１０で、当該伝送が初期伝送であるか、または再伝送であるかを判断する方法のうち１つの例は、ｅＮＢが伝送する制御情報のうちＮＤＩ（Ｎｅｗ  Ｄａｔａ  Ｉｎｄｉｃａｔｏｒ）ビットを参照することによって判断可能である。ＮＤＩビットは、新しい初期伝送が行われる場合、その値が変わる。すなわち、ｎ番目の伝送でＮＤＩビットの値が“０”であったが、ｎ＋１番目伝送で、初期伝送の場合、ＮＤＩビットの値は、“１”に変わるようになる。一方、再伝送の場合、ＮＤＩビットの値は、そのまま維持される。
【０１３８】
表８及び表９は１個の表を利用して初期伝送及び再伝送でのＤＭ−ＲＳ  ａｎｔｅｎｎａ  ｐｏｒｔ割り当て情報を端末に通知可能である。表８及び表９を表現するまた１つの方法は、初期伝送用表と再伝送用表に分離することである。一例として、表９の場合、初期伝送の場合、次のような表１０と表１１に分離することができる。
【０１３９】
【表１０】
0005993063.tif 000014
【０１４０】
＜ＵＥ当たり最大８個のｌａｙｅｒを割り当てるＳＵ−ＭＩＭＯ及び最大ｃｏｍｐｏｓｉｔｅ  ｒａｎｋ  ４であり、ＵＥ当たり最大２個のｌａｙｅｒを割り当てるＭＵ−ＭＩＭＯ（最大４個のｃｏ−ｓｃｈｅｄｕｌｅｄ  ＵＥ）伝送方式でＤＭＲＳ  ａｎｔｅｎｎａ  ｐｏｒｔ通知方法３（初期伝送用）＞
【０１４１】
【表１１】
0005993063.tif 000015
【０１４２】
＜ＵＥ当たり最大８個のｌａｙｅｒを割り当てるＳＵ−ＭＩＭＯ及び最大ｃｏｍｐｏｓｉｔｅ  ｒａｎｋ  ４であり、ＵＥ当たり最大２個のｌａｙｅｒを割り当てるＭＵ−ＭＩＭＯ（最大４個のｃｏ−ｓｃｈｅｄｕｌｅｄ  ＵＥ）伝送方式でＤＭＲＳ  ａｎｔｅｎｎａ  ｐｏｒｔ通知方法３（再伝送用）＞
【０１４３】
表８、９、１０、１１は、前記〈システム情報１〉に合わせて考案され、ｃｏｍｐｏｓｉｔｅ  ｒａｎｋが３または４の場合、ｒａｎｋ  ２  ＤＭＲＳ  ｐａｔｔｅｒｎと２個のｓｃｒａｍｂｌｉｎｇ  ｓｅｑｕｅｎｃｅを利用するという仮定の下に作成された。同一のシステム情報１の特徴を有し、ｃｏｍｐｏｓｉｔｅ  ｒａｎｋが３または４の場合、ｒａｎｋ  ４  ＤＭＲＳ  ｐａｔｔｅｒｎを利用する場合、次の表１２のように、ＤＭ−ＲＳ  ａｎｔｅｎｎａ  ｐｏｒｔ情報を通知するのに利用されるｉｎｄｅｘと各ｉｎｄｅｘが意味することを整理することができる。
【０１４４】
【表１２】
0005993063.tif 000016
【０１４５】
＜ＵＥ当たり最大８個のｌａｙｅｒを割り当てるＳＵ−ＭＩＭＯ及び最大ｃｏｍｐｏｓｉｔｅ  ｒａｎｋ  ４であり、ＵＥ当たり最大２個のｌａｙｅｒを割り当てるＭＵ−ＭＩＭＯ（最大４個のｃｏ−ｓｃｈｅｄｕｌｅｄ  ＵＥ）伝送方式でＤＭＲＳ  ａｎｔｅｎｎａ  ｐｏｒｔ通知方法４＞
【０１４６】
表１２の場合、１番目の列及び２番目の列のｉｎｄｅｘ  ６、７、８、９及びこれに該当するＤＭ−ＲＳ  ａｎｔｅｎｎａ  ｐｏｒｔ割り当てｍｅｓｓａｇｅは、再伝送だけで利用される。すなわち、初期伝送の場合、１番目の列及び２番目の列のｉｎｄｅｘ  ６、７、８、９を除いたｉｎｄｅｘ及びそれに該当するｍｅｓｓａｇｅだけでＤＭ−ＲＳ  ａｎｔｅｎｎａ  ｐｏｒｔ割り当てが通知される。
【０１４７】
表１２の場合、表８と同様に、表９のように、２個の列を有する表で表現されることができ、また、表１０、表１１のように、初期伝送及び再伝送用表で表現されることができる。
【０１４８】
表１２の場合にも、表８の場合のように、図９及び図１０と同一の方式を利用してｅＮＢが伝送しようとするＤＭ−ＲＳ  ａｎｔｅｎｎａ  ｐｏｒｔ割り当て情報を決定し、端末が受信したＤＭ−ＲＳ割り当て情報を解釈することができる。
【０１４９】
表１３は、本発明によってＵＥに割り当てられるＤＭＲＳ  ａｎｔｅｎｎａ  ｐｏｒｔ情報を通知するのに利用されるｉｎｄｅｘと各ｉｎｄｅｘが意味することを整理したものである。表１３は、表１、２、３、４、５、６、７の場合とは異なって、ｅＮＢがＵＥに割り当てられた１個のｔｒａｎｓｐｏｒｔ  ｂｌｏｃｋだけを割り当てる場合、これに対するＤＭＲＳ  ａｎｔｅｎｎａ  ｐｏｒｔ割り当て情報と干渉関連情報を通知するように作成された。表８は、次のようなＭＩＭＯ伝送に対するＤＭＲＳ  ａｎｔｅｎｎａ  ｐｏｒｔ割り当てを通知する。
【０１５０】
〈システム特性３〉
１．１個のｌａｙｅｒに対するＳＵ−ＭＩＭＯ伝送
２．１個のＵＥに最大１個のｌａｙｅｒを割り当てるＭＵ−ＭＩＭＯ伝送
３．最大４個のＵＥにＭＵ−ＭＩＭＯ伝送
４．最大４個のｌａｙｅｒに対するＭＵ−ＭＩＭＯ伝送（ＭＵ−ＭＩＭＯのｃｏｍｐｏｓｉｔｅ  ｒａｎｋ最大値４）
【０１５１】
【表１３】
0005993063.tif 000017
【０１５２】
＜最大ｃｏｍｐｏｓｉｔｅ  ｒａｎｋ  ４であり、ＵＥ当たり１個のｔｒａｎｓｐｏｒｔ  ｂｌｏｃｋを伝送するＳＵ及びＭＵ−ＭＩＭＯ伝送方式でＤＭＲＳ  ａｎｔｅｎｎａ  ｐｏｒｔ及び干渉通知方法１＞
【０１５３】
表１３で、各列が有するｉｎｄｅｘの種類が最大６である。表１の場合、各列が有するｉｎｄｅｘの種類が最大１０であった。表１３で、各列が有するｉｎｄｅｘの種類が減少したことは、１個のＵＥ当たり割り当てることができるｔｒａｎｓｐｏｒｔ  ｂｌｏｃｋの個数を１個に制限させることによって、場合の数を低減したからである。これをビット数に換算する場合、表１の場合、ＤＭＲＳ  ａｎｔｅｎｎａ  ｐｏｒｔ割り当て情報及び干渉関連情報をＵＥに通知するのに４ビットが必要であるが、表１３を利用する場合、ｅＮＢがＤＭＲＳ  ａｎｔｅｎｎａ  ｐｏｒｔ割り当て情報及び干渉関連情報をＵＥに通知するのに３ビットだけが必要となる。
【０１５４】
下記の表１４は、本発明の他の実施例によってＵＥに割り当てられるＤＭＲＳ  ａｎｔｅｎｎａ  ｐｏｒｔ情報を通知するのに利用されるｉｎｄｅｘと各ｉｎｄｅｘが意味することを整理したものである。表１４は、表１、２、３、４、５、６、７の場合とは異なって、ｅＮＢがＵＥに割り当てられた１個のｔｒａｎｓｐｏｒｔ  ｂｌｏｃｋだけを割り当てる場合に、これに対するＤＭＲＳ  ａｎｔｅｎｎａ  ｐｏｒｔ割り当て情報と干渉関連情報を通知するように作成された。表１は、システム特性３のようなＭＩＭＯ伝送に対するＤＭＲＳ  ａｎｔｅｎｎａ  ｐｏｒｔ割り当てを通知する。また、ｃｏｍｐｏｓｉｔｅ  ｒａｎｋが３または４の場合、ｒａｎｋ  ２  ＤＭＲＳ  ｐａｔｔｅｒｎと２個のｓｃｒａｍｂｌｉｎｇ  ｓｅｑｕｅｎｃｅを利用するという仮定の下に作成された。これは、表３の場合と同様である。
【０１５５】
表１４で、各列が有するｉｎｄｅｘの種類が最大６である。表１の場合、各列が有するｉｎｄｅｘの種類が最大１０であった。表１４で、各列が有するｉｎｄｅｘの種類が減少したことは１個のＵＥ当たり割り当てることができるｔｒａｎｓｐｏｒｔ  ｂｌｏｃｋの個数を１個に制限させることによって場合の数を低減したからである。これをビット数に換算する場合、表１の場合、ＤＭＲＳ  ａｎｔｅｎｎａ  ｐｏｒｔ割り当て情報及び干渉関連情報をＵＥに通知するのに４ビットが必要であるが。表１４を利用する場合ｅＮＢがＤＭＲＳ  ａｎｔｅｎｎａ  ｐｏｒｔ割り当て情報及び干渉関連情報をＵＥに通知するのに３ビットだけが必要となる。
【０１５６】
【表１４】
0005993063.tif 000018
【０１５７】
＜最大ｃｏｍｐｏｓｉｔｅ  ｒａｎｋ  ４であり、ＵＥ当たり１個のｔｒａｎｓｐｏｒｔ  ｂｌｏｃｋを伝送するＳＵ及びＭＵ−ＭＩＭＯ伝送方式でＤＭＲＳ  ａｎｔｅｎｎａ  ｐｏｒｔ及び干渉通知方法２＞
【０１５８】
前記でＤＭＲＳ  ａｎｔｅｎｎａ  ｐｏｒｔ割り当て方法において特定ＤＭＲＳ  ａｎｔｅｎｎａ  ｐｏｒｔを言及した。一例として、表７で伝送ブロック０と伝送ブロック１が同時に利用される場合、Ｉｎｄｅｘ  ５は、スクランブリングコード０番を利用し、ＤＭＲＳ  ａｎｔｅｎｎａ  ｐｏｒｔ  ０、１、２、３、４、５が割り当てられたことを意味する。本発明は、表で言及した特定のＤＭＲＳ  ａｎｔｅｎｎａ  ｐｏｒｔの組合以外に、他の組合の割り当てに対しても同一に適用されることができることを明らかにする。一例として、本発明において提示する方法は、表７で伝送ブロック０と伝送ブロック１が同時に利用される場合、Ｉｎｄｅｘ  ５は、スクランブリングコード０番を利用してＤＭＲＳ  ａｎｔｅｎｎａ  ｐｏｒｔ０、１、２、３、４、５が割り当てられる代わりに、ＤＭＲＳ  ａｎｔｅｎｎａ  ｐｏｒｔ０、１、２、５、６、７が割り当てられる場合にも同一に適用されることができる。
【０１５９】
図１１は、本発明にさらに他の実施例によってＬＴＥ−ＡでＰＤＣＣＨで伝送されるＤＭＲＳ  ａｎｔｅｎｎａ  ｐｏｒｔ割り当て情報を示すものである。
【０１６０】
図１１で、伝送されるＰＤＣＣＨ制御情報は、図２で伝送される制御情報と同様であるが、各ｔｒａｎｓｐｏｒｔ  ｂｌｏｃｋのための制御情報をＮＤＩ（Ｎｅｗ  Ｄａｔａ  Ｉｎｄｉｃａｔｏｒ）ビットとその他の情報とに分離した。図１１で、１１１０と１１２０の制御情報は、ｔｒａｎｓｐｏｒｔ  ｂｌｏｃｋ  ０のための制御情報であり、１１３０と１１４０の制御情報は、ｔｒａｎｓｐｏｒｔ  ｂｌｏｃｋ  １のための制御情報である。前記ＮＤＩ制御情報１１２０と１１４０は、それぞれｔｒａｎｓｐｏｒｔ  ｂｌｏｃｋ  ０とｔｒａｎｓｐｏｒｔ  ｂｌｏｃｋ  １がＨＡＲＱ（Ｈｙｂｒｉｄ  Ａｕｔｏｍａｔｉｃ  Ｒｅｐｅａｔ  Ｒｅｑｕｅｓｔ）の過程上、初期伝送に該当するかを通知する制御情報である。前記ＮＤＩビットは、各ｔｒａｎｓｐｏｒｔ  ｂｌｏｃｋが伝送される場合にのみ、ＨＡＲＱの初期伝送であるか、または再伝送であるかを指示する。すなわち、ｔｒａｎｓｐｏｒｔ  ｂｌｏｃｋ  ０が伝送されない場合、ＮＤＩ  ０ビットは、ＨＡＲＱの初期伝送であるか、または再伝送であるかを通知する必要なく、他の用途に利用されることができる。
【０１６１】
表１５は、本発明によって伝送されないｔｒａｎｓｐｏｒｔ  ｂｌｏｃｋ用ＮＤＩビットを利用してＤＭ−ＲＳ  ｐｏｒｔと伝送方式を指示する方法を整理したものである。
【０１６２】
【表１５】
0005993063.tif 000019
【０１６３】
＜ＵＥ当たり最大８個のｌａｙｅｒを割り当てるＳＵ−ＭＩＭＯ及び最大ｃｏｍｐｏｓｉｔｅ  ｒａｎｋ  ４であり、ＵＥ当たり最大２個のｌａｙｅｒを割り当てるＭＵ−ＭＩＭＯ（最大４個のｃｏ−ｓｃｈｅｄｕｌｅｄ  ＵＥ）伝送方式でＤＭＲＳ  ａｎｔｅｎｎａ  ｐｏｒｔ及びｔｒａｎｓｍｉｔ  ｄｉｖｅｒｓｉｔｙ通知方法＞
【０１６４】
表１５で“ＮＤＩ  ｘ”は、伝送されないｔｒａｎｓｐｏｒｔ  ｂｌｏｃｋ用ＮＤＩビットであり、１個のｔｒａｎｓｐｏｒｔ  ｂｌｏｃｋの伝送方式を端末に通知するのに利用されることができる。表１から表１４までの場合、ＳＵ−ＭＩＭＯまたはＭＵ−ＭＩＭＯだけを端末に通知することができた。一方、表１５では、１個のｔｒａｎｓｐｏｒｔ  ｂｌｏｃｋだけが伝送される場合、伝送されないｔｒａｎｓｐｏｒｔ  ｂｌｏｃｋ用ＮＤＩビットを利用してｔｒａｎｓｍｉｔ  ｄｉｖｅｒｓｉｔｙの利用可否を端末に追加に通知する。前記ｔｒａｎｓｍｉｔ  ｄｉｖｅｒｓｉｔｙは、ＣＲＳ（Ｃｏｍｍｏｎ  Ｒｅｆｅｒｅｎｃｅ  Ｓｉｇｎａｌ）を利用する場合に該当し、ＣＲＳが何個のａｎｔｅｎｎａ  ｐｏｒｔを有するかによってＳＦＢＣ（Ｓｐａｃｅ  Ｆｒｅｑｕｅｎｃｙ  Ｂｌｏｃｋ  Ｃｏｄｅ）だけを利用するか、ＦＳＴＤ（Ｆｒｅｑｕｅｎｃｙ  Ｓｅｌｅｃｔｉｖｅ  Ｔｒａｎｓｍｉｔ  Ｄｉｖｅｒｓｉｔｙ）とＳＦＢＣを複合的に利用することができる。すなわち、ＣＲＳが２個のａｎｔｅｎｎａｐｏｒｔを有する場合、ｔｒａｎｓｍｉｔ  ｄｉｖｅｒｓｉｔｙは、自動にＳＦＢＣに設定され、ＣＲＳが４個のａｎｔｅｎｎａ  ｐｏｒｔを有する場合、ｔｒａｎｓｍｉｔ  ｄｉｖｅｒｓｉｔｙは、自動的にＦＳＴＤ＋ＳＦＢＣに設定される。一方、ＣＲＳが１個のａｎｔｅｎｎａ  ｐｏｒｔを有する場合、ｔｒａｎｓｍｉｔ  ｄｉｖｅｒｓｉｔｙが不可能になり、自動にｓｉｎｇｌｅ  ｐｏｒｔ伝送に設定される。
【０１６５】
表１５でのｔｒａｎｓｍｉｔ  ｄｉｖｅｒｓｉｔｙは、ＳＦＢＣ（Ｓｐａｃｅ  Ｆｒｅｑｕｅｎｃｙ  Ｂｌｏｃｋ  Ｃｏｄｅ）だけを利用するか、ＦＳＴＤ（Ｆｒｅｑｕｅｎｃｙ  Ｓｅｌｅｃｔｉｖｅ  Ｔｒａｎｓｍｉｔ  ｄｉｖｅｒｓｉｔｙ）とＳＦＢＣを複合的に利用する場合に該当する。ＬＴＥ−ＡシステムでＣＲＳを利用するｔｒａｎｓｍｉｔ  ｄｉｖｅｒｓｉｔｙ以外にＤＭ−ＲＳを利用したｔｒａｎｓｍｉｔ  ｄｉｖｅｒｓｉｔｙも可能である。ＤＭ−ＲＳを利用する場合、次のｔｒａｎｓｍｉｔ  ｄｉｖｅｒｓｉｔｙが可能である。
【０１６６】
１．ＤＭ−ＲＳ  ａｎｔｅｎｎａ  ｐｏｒｔ  ０、１を利用したＳＦＢＣ
２．ＤＭ−ＲＳ  ａｎｔｅｎｎａ  ｐｏｒｔ  ０、１、２、３を利用したＦＳＴＤ＋ＳＦＢＣ
【０１６７】
表１６は、本発明によって伝送されないｔｒａｎｓｐｏｒｔ  ｂｌｏｃｋ用ＮＤＩビットを利用してＤＭ−ＲＳｐｏｒｔと伝送方式を指示するさらに他の方法を整理したものである。
【０１６８】
【表１６】
0005993063.tif 000020
【０１６９】
＜ＵＥ当たり最大８個のｌａｙｅｒを割り当てるＳＵ−ＭＩＭＯ及び最大ｃｏｍｐｏｓｉｔｅ  ｒａｎｋ  ４であり、ＵＥ当たり最大２個のｌａｙｅｒを割り当てるＭＵ−ＭＩＭＯ（最大４個のｃｏ−ｓｃｈｅｄｕｌｅｄ  ＵＥ）伝送方式でＤＭＲＳ  ａｎｔｅｎｎａ  ｐｏｒｔ及びｔｒａｎｓｍｉｔ  ｄｉｖｅｒｓｉｔｙ通知方法２＞
【０１７０】
表１６で伝送されないｔｒａｎｓｐｏｒｔ  ｂｌｏｃｋ用ＮＤＩビットは、伝送されるｔｒａｎｓｐｏｒｔ  ｂｌｏｃｋがｔｒａｎｓｍｉｔ  ｄｉｖｅｒｓｉｔｙに伝送されるか否かと、どんなｔｒａｎｓｍｉｔ  ｄｉｖｅｒｓｉｔｙ方式を利用するかを端末に通知する。
【０１７１】
表１５は、ＣＲＳを利用するｔｒａｎｓｍｉｔ  ｄｉｖｅｒｓｉｔｙを通知する方法を指示する場合に該当し、表１６は、ＤＭ−ＲＳを利用するｔｒａｎｓｍｉｔ  ｄｉｖｅｒｓｉｔｙを通知する方法を指示する場合に該当する。本発明が提示するまた１つの方法は、ＣＲＳを利用するｔｒａｎｓｍｉｔ  ｄｉｖｅｒｓｉｔｙとＤＭ−ＲＳを利用するｔｒａｎｓｍｉｔ  ｄｉｖｅｒｓｉｔｙを共に可能にすることである。上記のように、ＣＲＳを利用するｔｒａｎｓｍｉｔ  ｄｉｖｅｒｓｉｔｙとＤＭ−ＲＳを利用するｔｒａｎｓｍｉｔ  ｄｉｖｅｒｓｉｔｙを共にサポートする場合、表１５で、ＣＲＳを利用したｔｒａｎｓｍｉｔ  ｄｉｖｅｒｓｉｔｙと表１６でＤＭ−ＲＳを利用したｔｒａｎｓｍｉｔ  ｄｉｖｅｒｓｉｔｙを１つの表に含んでいればよい。
【０１７２】
表１７は、本発明によって伝送されないｔｒａｎｓｐｏｒｔ  ｂｌｏｃｋ用ＮＤＩビットを利用してＤＭ−ＲＳ  ｐｏｒｔと伝送方式を指示するさらに他の方法を整理したものである。
【０１７３】
表１７は、伝送されないｔｒａｎｓｐｏｒｔ  ｂｌｏｃｋ用ＮＤＩビットを利用して基地局が端末に再伝送可否、ｔｒａｎｓｍｉｔ  ｄｉｖｅｒｓｉｔｙ適用可否とＤＭ−ＲＳ  ａｎｔｅｎｎａ  ｐｏｒｔ割り当てを通知することができる。１個のｔｒａｎｓｐｏｒｔ  ｂｌｏｃｋだけが伝送される場合、伝送されないｔｒａｎｓｐｏｒｔ  ｂｌｏｃｋ用ＮＤＩビットは、その値が“０”に設定される場合、端末にｔｒａｎｓｍｉｔ  ｄｉｖｅｒｓｉｔｙを伝送することまたは再伝送であることを通知するのに利用されることができる。表１７のｔｒａｎｓｍｉｔ  ｄｉｖｅｒｓｉｔｙは、伝送されるないｔｒａｎｓｐｏｒｔ  ｂｌｏｃｋ用“ＮＤＩ  ｘ”の値が０であり、ｉｎｄｅｘ値が０である場合、ｔｒａｎｓｍｉｔ  ｄｉｖｅｒｓｉｔｙを端末に通知するようになる。前記ｔｒａｎｓｍｉｔ  ｄｉｖｅｒｓｉｔｙは、ＨＡＲＱの初期伝送または再伝送の場合の両方に適用されることができる。しかし、システム設計を容易にするために、ＨＡＲＱの初期伝送または再伝送のうち１つにのみ適用されるようにすることができる。一例として、ｔｒａｎｓｍｉｔ  ｄｉｖｅｒｓｉｔｙが再伝送の場合にのみ適用可能な場合、前記“ＮＤＩ  ｘ”は、再伝送可否を決定する値になる。
【０１７４】
【表１７】
0005993063.tif 000021
【０１７５】
＜ＵＥ当たり最大８個のｌａｙｅｒを割り当てるＳＵ−ＭＩＭＯ及び最大ｃｏｍｐｏｓｉｔｅ  ｒａｎｋ  ４であり、ＵＥ当たり最大２個のｌａｙｅｒを割り当てるＭＵ−ＭＩＭＯ（最大４個のｃｏ−ｓｃｈｅｄｕｌｅｄ  ＵＥ）伝送方式でＤＭＲＳ  ａｎｔｅｎｎａ  ｐｏｒｔ及びｔｒａｎｓｍｉｔ  ｄｉｖｅｒｓｉｔｙ通知方法３＞
【０１７６】
表１５、１６、１７は、ＮＤＩビットをＤＭ−ＲＳｐｏｒｔ割り当て情報とともに利用してＳＵ−ＭＩＭＯ、ＭＵ−ＭＩＭＯ、ｔｒａｎｓｍｉｔ  ｄｉｖｅｒｓｉｔｙのうち１つの伝送方式を端末に通知することができる。上記のように伝送されないｔｒａｎｓｐｏｒｔ  ｂｌｏｃｋ用ＮＤＩビットを活用する本発明において提示するまた１つの方法は、ｓｙｎｃｈｒｏｎｏｕｓ  ＨＡＲＱを通知するのに利用することである。
【０１７７】
表１８は、本発明によって伝送されないｔｒａｎｓｐｏｒｔ  ｂｌｏｃｋ用ＮＤＩビットを利用してＤＭ−ＲＳ  ｐｏｒｔとＳｙｎｃｈｒｏｎｏｕｓ  ＨＡＲＱ伝送を指示する方法を整理したものである。
【０１７８】
【表１８】
0005993063.tif 000022
【０１７９】
＜ＵＥ当たり最大８個のｌａｙｅｒを割り当てるＳＵ−ＭＩＭＯ及び最大ｃｏｍｐｏｓｉｔｅ  ｒａｎｋ  ４であり、ＵＥ当たり最大２個のｌａｙｅｒを割り当てるＭＵ−ＭＩＭＯ（最大４個のｃｏ−ｓｃｈｅｄｕｌｅｄ  ＵＥ）伝送方式でＤＭＲＳ  ａｎｔｅｎｎａ  ｐｏｒｔ及びｓｙｎｃｈｒｏｎｏｕｓ  ＨＡＲＱ通知方法＞
【０１８０】
表１８で伝送されないｔｒａｎｓｐｏｒｔ  ｂｌｏｃｋ用ＮＤＩビットは、伝送されるｔｒａｎｓｐｏｒｔ  ｂｌｏｃｋがＳｙｎｃｈｒｏｎｏｕｓ  ＨＡＲＱに伝送されるか否かを端末に通知する。Ｓｙｎｃｈｒｏｎｏｕｓ  ＨＡＲＱは、再伝送が一定の周期で行われるので、再伝送のために追加的なＰＤＣＣＨを伝送する必要がない。一方、Ｓｙｎｃｈｒｏｎｏｕｓ  ＨＡＲＱは、無線チャネル変化に速く適応することができないという短所がある。表１８のように、１個のｃｏｄｅ  ｗｏｒｄが伝送される場合、Ｓｙｎｃｈｒｏｎｏｕｓ  ＨＡＲＱを可能にすることで、基地局と端末は、無線チャネル環境がＳｙｎｃｈｒｏｎｏｕｓ  ＨＡＲＱに適切な場合に、表１７を利用して端末に通知することによって、性能を最適化させることができる。
【０１８１】
表１９は、本発明によって伝送されないｔｒａｎｓｐｏｒｔ  ｂｌｏｃｋ用ＮＤＩビットを利用してＤＭ−ＲＳｐｏｒｔとＳｙｎｃｈｒｏｎｏｕｓ  ＨＡＲＱ伝送を指示するさらに他の方法を整理したものである。
【０１８２】
【表１９】
0005993063.tif 000023
【０１８３】
＜ＵＥ当たり最大８個のｌａｙｅｒを割り当てるＳＵ−ＭＩＭＯ及び最大ｃｏｍｐｏｓｉｔｅ  ｒａｎｋ  ４であり、ＵＥ当たり最大２個のｌａｙｅｒを割り当てるＭＵ−ＭＩＭＯ（最大４個のｃｏ−ｓｃｈｅｄｕｌｅｄＵＥ）伝送方式でＤＭＲＳ  ａｎｔｅｎｎａ  ｐｏｒｔ及びｓｙｎｃｈｒｏｎｏｕｓ  ＨＡＲＱ通知方法２＞
【０１８４】
表１９の場合、伝送されないｔｒａｎｓｐｏｒｔ  ｂｌｏｃｋ用ＮＤＩビットを利用してＳｙｎｃｈｒｏｎｏｕｓ  ＨＡＲＱ伝送可否とｔｒａｎｓｍｉｔ  ｄｉｖｅｒｓｉｔｙの適用可否を端末に伝送する。表１９の場合、伝送されないｔｒａｎｓｐｏｒｔ  ｂｌｏｃｋ用ＮＤＩビットが“０”の場合、ｉｎｄｅｘ値によってＳｙｎｃｈｒｏｎｏｕｓ  ＳＵ／ＭＵ−ＭＩＭＯまたはｔｒａｎｓｍｉｔ  ｄｉｖｅｒｓｉｔｙを端末に通知することができる。表１９の場合、ＳＵ／ＭＵ−ＭＩＭＯでのＳｙｎｃｈｒｏｎｏｕｓ  ＨＡＲＱは、初期伝送だけで可能になるように設計された。これは、制限されたｉｎｄｅｘの個数を勘案して最も重要な伝送方式だけを選定した結果である。
【０１８５】
図１２は、本発明によって設計された表１５、１６で伝送されないｔｒａｎｓｐｏｒｔ  ｂｌｏｃｋ用ＮＤＩビットを利用してｔｒａｎｓｍｉｔ  ｄｉｖｅｒｓｉｔｙ可否を通知される過程を図示したものである。
【０１８６】
図１２で、ＰＤＣＣＨを受信した端末は、割り当てられたｔｒａｎｓｐｏｒｔ  ｂｌｏｃｋの個数を過程１２１０で判断する。過程１２１０で、２個のｔｒａｎｓｐｏｒｔ  ｂｌｏｃｋが伝送されたものと判断される場合、端末は、過程１２５０で、図１１のＤＭＲＳ割り当て指示子情報１１５０を利用してどんなＤＭ−ＲＳ  ａｎｔｅｎｎａ  ｐｏｒｔが自分に割り当てられたかを判断する。前記過程１２１０で、１個のｔｒａｎｓｐｏｒｔ  ｂｌｏｃｋが伝送されたものと判断される場合、端末は、伝送されないｔｒａｎｓｐｏｒｔ  ｂｌｏｃｋ用ＮＤＩビットの値によってｔｒａｎｓｍｉｔ  ｄｉｖｅｒｓｉｔｙが適用されたかを判断する。過程１２２０で、伝送されないｔｒａｎｓｐｏｒｔ  ｂｌｏｃｋ用ＮＤＩビットの値が“０”の場合、端末は、ｔｒａｎｓｍｉｔ  ｄｉｖｅｒｓｉｔｙが適用されたと判断し、反対に伝送されないｔｒａｎｓｐｏｒｔ  ｂｌｏｃｋ用ＮＤＩビットの値が“１”の場合、端末は、ＳＵ−ＭＩＭＯまたはＭＵ−ＭＩＭＯ伝送が行われると判断するようになる。図１２の具体的な伝達情報は、表１５、１６によって決定される。
【０１８７】
図１３は、本発明によって設計された表１７で伝送されないｔｒａｎｓｐｏｒｔ  ｂｌｏｃｋ用ＮＤＩビットを利用して再伝送であるかまたは初期伝送であるか否かと、ｔｒａｎｓｍｉｔ  ｄｉｖｅｒｓｉｔｙの適用可否を通知される過程を図示したものである。
【０１８８】
図１３で、ＰＤＣＣＨを受信した端末は、割り当てられたｔｒａｎｓｐｏｒｔ  ｂｌｏｃｋの個数を過程１３１０で判断する。過程１３１０で、２個のｔｒａｎｓｐｏｒｔ  ｂｌｏｃｋが伝送されたものと判断される場合、端末は、過程１３５０で、図１１のＤＭＲＳ割り当て指示子情報１１５０を利用してどんなＤＭ−ＲＳ  ａｎｔｅｎｎａ  ｐｏｒｔが自分に割り当てられたかを判断する。前記過程１３１０で、１個のｔｒａｎｓｐｏｒｔ  ｂｌｏｃｋが伝送されたものと判断される場合、端末は、伝送されないｔｒａｎｓｐｏｒｔ  ｂｌｏｃｋ用ＮＤＩビットの値によって初期伝送であるか再伝送であるか否かを判断する。過程１３２０で、伝送されないｔｒａｎｓｐｏｒｔ  ｂｌｏｃｋ用ＮＤＩビットの値が“０”の場合、端末は、再伝送が行われたと判断し、反対に伝送されないｔｒａｎｓｐｏｒｔ  ｂｌｏｃｋ用ＮＤＩビットの値が“１”の場合、端末は、初期伝送が適用されたと判断するようになる。また、１個のｔｒａｎｓｐｏｒｔ  ｂｌｏｃｋが伝送されたと判断され、伝送されないｔｒａｎｓｐｏｒｔ  ｂｌｏｃｋ用ＮＤＩビットの値が“０”の場合、端末は、ＤＭ−ＲＳ割り当て指示子情報１１５０によってｔｒａｎｓｍｉｔ  ｄｉｖｅｒｓｉｔｙの適用可否を通知される。図１３の具体的な伝達情報は、表１７によって決定される。
【０１８９】
図１４は、本発明によって設計された表１８で伝送されないｔｒａｎｓｐｏｒｔ  ｂｌｏｃｋ用ＮＤＩビットを利用してＳｙｎｃｈｒｏｎｏｕｓ  ＨＡＲＱ適用可否を通知される過程を図示したものである。
【０１９０】
図１４で、ＰＤＣＣＨを受信した端末は、割り当てられたｔｒａｎｓｐｏｒｔ  ｂｌｏｃｋの個数を過程１４１０で判断する。過程１４１０で、２個のｔｒａｎｓｐｏｒｔ  ｂｌｏｃｋが伝送されたものと判断される場合、端末は、過程１４５０で、図１１のＤＭＲＳ割り当て指示子情報１１５０を利用してどんなＤＭ−ＲＳ  ａｎｔｅｎｎａ  ｐｏｒｔが自分に割り当てられたかを判断する。前記過程１４１０で、１個のｔｒａｎｓｐｏｒｔ  ｂｌｏｃｋが伝送されたものと判断される場合、端末は、伝送されないｔｒａｎｓｐｏｒｔ  ｂｌｏｃｋ用ＮＤＩビットの値によってＳｙｎｃｈｒｏｎｏｕｓ  ＨＡＲＱが適用されたかを判断する。過程１４２０で、伝送されないｔｒａｎｓｐｏｒｔ  ｂｌｏｃｋ用ＮＤＩビットの値が“０”の場合、端末は、Ｓｙｎｃｈｒｏｎｏｕｓ  ＨＡＲＱが適用されたと判断し、反対に伝送されないｔｒａｎｓｐｏｒｔ  ｂｌｏｃｋ用ＮＤＩビットの値が“１”の場合、端末は、Ａｓｙｎｃｈｒｏｎｏｕｓ  ＨＡＲＱが適用されたと判断するようになる。図１４の具体的な伝達情報は、表１８によって決定される。
【０１９１】
前記Ｓｙｎｃｈｒｏｎｏｕｓ  ＨＡＲＱ伝送可否を指示する方法は、基地局が端末に伝送する下向き方向の場合に該当する。このようなＳｙｎｃｈｒｏｎｏｕｓ  ＨＡＲＱ伝送可否を指示する方法は、端末が基地局に伝送する上向き方向の場合にも適用可能である。
【０１９２】
なお、図示していないが、前述した本発明の実施例は、無線通信部とコントローラを備える端末及び基地局によって行われることができる。
【０１９３】
例えば、端末の場合、少なくとも１個以上の伝送ブロック（ｔｒａｎｓｐｏｒｔ  ｂｌｏｃｋ）に関する情報と、ＤＭＲＳ（ＤｅＭｏｄｕｌａｔｉｏｎ  Ｒｅｆｅｒｅｎｃｅ  Ｓｉｇｎａｌ）アンテナポート割り当て指示情報を含む制御情報を基地局から受信する無線通信部と、前記制御情報を利用して前記端末に割り当てられた伝送ブロックの個数を確認し、前記伝送ブロックの個数によって前記ＤＭＲＳアンテナポート割り当て指示情報を解釈するコントローラとを備えて本発明で記述された実施例を行うことができる。
【０１９４】
また、基地局の場合、端末に割り当てられた伝送ブロックの個数を確認し、前記確認された伝送ブロックの個数によってＤＭＲＳ（ＤｅＭｏｄｕｌａｔｉｏｎ  Ｒｅｆｅｒｅｎｃｅ  Ｓｉｇｎａｌ）アンテナポート割り当て指示情報を選択し、少なくとも１個以上の伝送ブロック（ｔｒａｎｓｐｏｒｔ  ｂｌｏｃｋ）に関する情報と前記選択されたＤＭＲＳ（ＤｅＭｏｄｕｌａｔｉｏｎ  Ｒｅｆｅｒｅｎｃｅ  Ｓｉｇｎａｌ）アンテナポート割り当て指示情報を含む制御情報を生成するコントローラと、前記生成された制御情報を端末に伝送する無線通信部とを備えて本発明で記述された実施例を行うことができる。
【符号の説明】
【０１９５】
２１０    ：ｔｒａｎｓｐｏｒｔ  ｂｌｏｃｋ  ０に対する御情報
２２０    ：ｔｒａｎｓｐｏｒｔ  ｂｌｏｃｋ  １に対する制御情報
２３０    ：ＤＭＲＳ  ａｎｔｅｎｎａ  ｐｏｒｔ割り当て制御情報
【図１】
0005993063.tif 000024
【図２】
0005993063.tif 000025
【図３】
0005993063.tif 000026
【図４】
0005993063.tif 000027
【図５】
0005993063.tif 000028
【図６】
0005993063.tif 000029
【図７Ａ】
0005993063.tif 000030
【図７Ｂ】
0005993063.tif 000031
【図８Ａ】
0005993063.tif 000032
【図８Ｂ】
0005993063.tif 000033
【図９】
0005993063.tif 000034
【図１０】
0005993063.tif 000035
【図１１】
0005993063.tif 000036
【図１２】
0005993063.tif 000037
【図１３】
0005993063.tif 000038
【図１４】
0005993063.tif 000039